(57)【要約】【課題】  本発明では、ユーザにとって興味ある広告の配信が可能で広告効果を高い広告配信方法、広告配信システム、広告配信サーバ及び広告配信プログラムを提供することを目的とする。【解決手段】  本発明に係る広告配信方法は、情報収集機器から通信ネットワークを介して取得した管理対象情報に基づいて管理対象情報と共に広告を配信するサーバが、情報表示機器の管理対象情報の配信要求に応じて通信ネットワークを介して管理対象情報及び広告を情報表示機器に配信して表示させる広告配信方法であり、サーバが情報収集機器から機器番号と共に取得した管理対象情報を保存する情報保存手順と、サーバが情報表示機器からの配信要求に応じて管理対象情報を情報表示機器による表示形式に変換し且つ機器番号に対応したカテゴリに一致する広告を添付して情報表示機器に配信する情報配信手順と、を有することを特徴とする。【選択図】図１
2006293670.tif 000002
【特許請求の範囲】
【請求項１】
管理対象となる管理対象情報を収集する情報収集機器から通信ネットワークを介して取得した前記管理対象情報に基づいて前記管理対象情報と共に広告を配信するサーバが情報表示機器による前記情報収集機器の機器番号を特定した前記管理対象情報の配信要求により前記通信ネットワークを介して前記管理対象情報及び前記広告を前記情報表示機器に配信して表示させる広告配信方法であって、
前記サーバが前記情報収集機器から前記通信ネットワークを介して前記機器番号と共に取得した前記管理対象情報を、前記機器番号に対応させて予め確保した情報保存領域に保存する情報保存手順と、
前記情報保存手順の後に前記サーバが前記情報表示機器から前記通信ネットワークを介して取得した前記配信要求に応じて前記配信要求に係る前記管理対象情報を前記情報保存領域から取り出して前記情報表示機器による表示形式に変換し且つ前記機器番号に対応させて予め確保したカテゴリ領域に保存されたカテゴリに一致する広告を前記変換した前記管理対象情報に添付して前記通信ネットワークを介して前記情報表示機器に配信する第１広告配信手順と、
を有することを特徴とする広告配信方法。
【請求項２】
前記情報保存手順の前に、
前記サーバが前記情報表示機器から前記情報収集機器の前記機器番号を前記通信ネットワークを介して取得する機器番号取得手順と、
前記サーバが前記機器番号取得手順において取得した前記機器番号に対応させて前記カテゴリ領域及び前記情報保存領域を確保する領域確保手順と、
前記サーバが前記領域確保手順において確保した前記カテゴリ領域に前記カテゴリを保存するカテゴリ保存手順と、
を有することを特徴とする請求項１に記載の広告配信方法。
【請求項３】
前記機器番号取得手順と前記カテゴリ保存手順との間に、
前記サーバが前記カテゴリ保存手順において前記カテゴリ領域に保存する前記カテゴリを前記情報収集機器又は前記情報表示機器の少なくとも一方から前記通信ネットワークを介して取得する第１カテゴリ取得手順をさらに有することを特徴とする請求項２に記載の広告配信方法。
【請求項４】
前記サーバが、
前記第１広告配信手順で配信した前記広告の中の項目で前記情報表示機器の選択した選択項目を前記通信ネットワークを介して前記情報表示機器から取得する第１広告表示選択取得手順と、
前記第１広告表示選択取得手順で取得した前記選択項目に予め関連付けられた広告情報を前記情報表示機器に前記通信ネットワークを介して折返し配信する第１広告情報配信手順と、
をさらに有することを特徴とする請求項１から３のいずれかに記載の広告配信方法。
【請求項５】
前記サーバが、前記第１広告配信手順において配信する前記広告及び該広告に関連付けられた前記広告情報を予め前記カテゴリに対応させて登録する第１広告登録手順をさらに有することを特徴とする請求項１から４のいずれかに記載の広告配信方法。
【請求項６】
前記機器番号取得手順と前記カテゴリ保存手順との間に、
前記サーバが前記カテゴリ保存手順において前記カテゴリ領域に保存する前記カテゴリを前記情報表示機器から前記通信ネットワークを介して取得する第２カテゴリ取得手順と、
前記サーバが前記第２カテゴリ取得手順において取得した前記カテゴリに一致する広告を、前記情報表示機器に前記通信ネットワークを介して折返し配信する第２広告配信手順と、
をさらに有することを特徴とする請求項２に記載の広告配信方法。
【請求項７】
前記サーバが、
前記第１広告配信手順又は前記第２広告配信手順で配信した前記広告の中の項目で前記情報表示機器の選択した選択項目を前記通信ネットワークを介して前記情報表示機器から取得する第２広告表示選択取得手順と、
前記第２広告表示選択取得手順で取得した前記選択項目に予め関連付けられた広告情報を前記情報表示機器に前記通信ネットワークを介して折返し配信する第２広告情報配信手順と、
をさらに有することを特徴とする請求項６に記載の広告配信方法。
【請求項８】
前記サーバが、前記第１広告配信手順及び前記第２広告配信手順において配信する前記広告及び該広告に関連付けられた前記広告情報を予め前記カテゴリに対応させて登録する第２広告登録手順を有することを特徴とする請求項７に記載の広告配信方法。
【請求項９】
前記情報表示機器又は前記情報収集機器が、前記サーバに最初にアクセスする前に、前記サーバにアクセスするための通信ネットワークアドレスを記録媒体から取得するアドレス取得手順を有することを特徴とする請求項１から８のいずれかに記載の広告配信方法。
【請求項１０】
管理対象となる管理対象情報を収集する情報収集機器と、前記情報収集機器から取得した前記管理対象情報に基づいて前記管理対象情報と共に広告を配信するサーバと、前記サーバから前記管理対象情報及び前記広告を取得して表示する情報表示機器と、前記情報収集機器、前記サーバ及び前記情報表示機器が接続される通信ネットワークと、を有する広告配信システムであって、
前記情報収集機器は、
収集した前記管理対象情報を前記情報収集機器の機器番号と共に前記サーバに向けて送信する情報送信手段を有し、
前記情報表示機器は、
前記情報収集機器の前記機器番号を特定した前記サーバへの前記管理対象情報の配信要求を前記通信ネットワークを介して行う配信要求手段と、
前記配信要求手段により要求した前記管理対象情報及びこれに添付される前記広告を前記サーバから前記通信ネットワークを介して取得して表示する情報取得表示手段と、を有し、
前記サーバは、
前記情報収集機器の前記情報送信手段から前記通信ネットワークを介して前記機器番号と共に取得した前記管理対象情報を前記機器番号に対応させて予め確保した情報保存領域に保存する情報保存手段と、
前記情報表示機器の前記配信要求手段による前記配信要求に応じて前記管理対象情報を前記情報保存領域から取り出して前記情報表示機器による表示形式に変換し且つ前記機器番号に対応させて予め確保したカテゴリ領域に保存されたカテゴリに一致する広告を前記変換した前記管理対象情報に添付して前記情報表示機器の前記情報取得表示手段に前記通信ネットワークを介して配信する第１広告配信手段と、
を有することを特徴とする広告配信システム。
【請求項１１】
前記情報表示機器は、
前記情報収集機器の機器番号を前記通信ネットワークを介して前記サーバに送信する機器番号送信手段を有し、
前記サーバは、
前記機器番号送信手段から前記機器番号を取得する機器番号取得手段と、
前記機器番号取得手段による前記機器番号の取得に応じて、前記機器番号に対応した前記カテゴリ領域及び前記情報保存領域を確保する領域確保手段と、
前記領域確保手段により確保した前記カテゴリ領域に前記カテゴリを保存するカテゴリ保存手段と、
を有することを特徴とする請求項１０に記載の広告配信システム。
【請求項１２】
前記情報収集機器又は前記情報表示機器の少なくとも一方は、
前記サーバが前記カテゴリ保存手段により保存する前記カテゴリを前記通信ネットワークを介して前記サーバに送信する第１カテゴリ送信手段をさらに有することを特徴とする請求項１１に記載の広告配信システム。
【請求項１３】
前記情報表示機器は、
前記第１広告配信手段により配信された前記広告の中の項目で選択した選択項目を前記通信ネットワークを介して前記サーバに送信する第１広告表示選択手段を有し、
前記サーバは、
前記第１広告表示選択手段から取得した前記選択項目に関連付けられた広告情報を前記情報表示機器に前記通信ネットワークを介して折返し配信する第１広告情報配信手段をさらに有することを特徴とする請求項１０から１２のいずれかに記載の広告配信システム。
【請求項１４】
前記サーバは、
前記第１広告配信手段により配信する前記広告及び該広告に関連付けられた前記広告情報を前記カテゴリに対応させて登録する第１広告登録手段をさらに有することを特徴とする請求項１０から１３のいずれかに記載の広告配信システム。
【請求項１５】
前記情報表示機器は、
前記サーバが前記カテゴリ保存手段により保存する前記カテゴリを前記通信ネットワークを介して前記サーバに送信する第２カテゴリ送信手段をさらに有し、
前記サーバは、
前記第２カテゴリ送信手段から取得した前記カテゴリに一致する前記広告を、前記情報表示機器に前記通信ネットワークを介して折返し配信する第２広告配信手段をさらに有することを特徴とする請求項１１に記載の広告配信システム。
【請求項１６】
前記情報表示機器は、
前記第１広告配信手段又は前記第２広告配信手段により配信された前記広告の中の項目で選択した選択項目を前記通信ネットワークを介して前記サーバに送信する第２広告表示選択手段を有し、
前記サーバは、
前記第２広告表示選択手段から取得した前記選択項目に関連付けられた広告情報を前記情報表示機器に前記通信ネットワークを介して折返し配信する第２広告情報配信手段をさらに有することを特徴とする請求項１５に記載の広告配信システム。
【請求項１７】
前記サーバは、
前記第１広告配信手段及び前記第２広告配信手段により配信する前記広告及び該広告に関連付けられた前記広告情報を前記カテゴリに対応させて登録する第２広告登録手段をさらに有することを特徴とする請求項１６に記載の広告配信システム。
【請求項１８】
前記情報表示機器は、
前記サーバにアクセスするための通信ネットワークアドレスを記録媒体から取得するアドレス取得手段を有することを特徴とする請求項１０から１７のいずれかに記載の広告配信システム。
【請求項１９】
管理対象となる管理対象情報を収集する情報収集機器による前記管理対象情報に基づいて前記管理対象情報と共に広告を通信ネットワークを介して情報表示機器に配信して表示させる広告配信サーバであって、
前記情報収集機器から前記通信ネットワークを介して情報表示機器の機器番号と共に取得した前記管理対象情報を前記機器番号に対応させて予め確保した情報保存領域に保存する情報保存手段と、
前記情報表示機器による前記情報収集機器の前記機器番号を特定した前記管理対象情報の配信要求に応じて前記管理対象情報を前記情報保存領域から取り出して前記情報表示機器による表示形式に変換し且つ前記機器番号に対応させて予め確保したカテゴリ領域に保存されたカテゴリに一致する広告を前記変換した前記管理対象情報に添付して前記情報表示機器に前記通信ネットワークを介して配信する第１広告配信手段と、
を有することを特徴とする広告配信サーバ。
【請求項２０】
前記情報表示機器から前記情報収集機器の機器番号を前記通信ネットワークを介して取得する機器番号取得手段と、
前記機器番号取得手段による前記機器番号の取得に応じて、前記機器番号に対応した前記カテゴリ領域及び前記情報保存領域を確保する領域確保手段と、
前記領域確保手段により確保した前記カテゴリ領域に前記カテゴリを保存するカテゴリ保存手段と、
を有することを特徴とする請求項１９に記載の広告配信サーバ。
【請求項２１】
前記サーバは、
前記カテゴリ保存手段において保存する前記カテゴリを前記情報収集機器又は前記情報表示機器の少なくとも一方から前記通信ネットワークを介して取得する第１カテゴリ取得手段をさらに有することを特徴とする請求項２０に記載の広告配信サーバ。
【請求項２２】
前記第１広告配信手段により情報表示機器に対して配信した前記広告の中の項目で前記情報表示機器により選択された選択項目を前記情報表示機器から前記通信ネットワークを介して取得し且つ取得した前記選択項目に関連付けられた広告情報を前記情報表示機器に前記通信ネットワークを介して折返し配信する第１広告情報配信手段をさらに有することを特徴とする請求項１９から２１のいずれかに記載の広告配信サーバ。
【請求項２３】
前記第１広告配信手段により配信する前記広告及び該広告に関連付けられた前記広告情報を前記カテゴリに対応させて登録する第１広告登録手段をさらに有することを特徴とする請求項１９から２２のいずれかに記載の広告配信サーバ。
【請求項２４】
前記サーバは、
前記カテゴリ保存手段において保存する前記カテゴリを前記情報表示機器から前記通信ネットワークを介して取得する第２カテゴリ取得手段と、
第２カテゴリ取得手段で取得した前記カテゴリに一致する前記広告を前記情報表示機器に前記通信ネットワークを介して折返し配信する第２広告配信手段と、
をさらに有することを特徴とする請求項２０に記載の広告配信サーバ。
【請求項２５】
前記第１広告配信手段又は前記第２広告配信手段により情報表示機器に対して配信した前記広告の中の項目で前記情報表示機器により選択された選択項目を前記情報表示機器から前記通信ネットワークを介して取得し且つ取得した前記選択項目に関連付けられた広告情報を前記情報表示機器に前記通信ネットワークを介して折返し配信する第２広告情報配信手段をさらに有することを特徴とする請求項２４に記載の広告配信サーバ。
【請求項２６】
前記第１広告配信手段及び前記第２広告配信手段により配信する前記広告及び該広告に関連付けられた前記広告情報を前記カテゴリに対応させて登録する第２広告登録手段をさらに有することを特徴とする請求項２５に記載の広告配信サーバ。
【請求項２７】
管理対象となる管理対象情報を収集する情報収集機器から通信ネットワークを介して取得した前記管理対象情報に基づいて前記管理対象情報と共に広告を配信するサーバが情報表示機器による前記情報収集機器の機器番号を特定した前記管理対象情報の配信要求により前記通信ネットワークを介して前記管理対象情報及び前記広告を前記情報表示機器に配信して表示させる広告配信方法をコンピュータによって実行させるための広告配信プログラムであって、
前記サーバが前記情報収集機器から前記通信ネットワークを介して前記機器番号と共に取得した前記管理対象情報を、前記機器番号に対応させて予め確保した情報保存領域に保存する情報保存手順と、
前記情報保存手順の後に前記サーバが前記情報表示機器から前記通信ネットワークを介して取得した前記配信要求に応じて前記配信要求に係る前記管理対象情報を前記情報保存領域から取り出して前記情報表示機器による表示形式に変換し且つ前記機器番号に対応させて予め確保したカテゴリ領域に保存されたカテゴリに一致する広告を前記変換した前記管理対象情報に添付して前記通信ネットワークを介して前記情報表示機器に配信する第１広告配信手順と、
を有することを特徴とする広告配信方法をコンピュータによって実行させるための広告配信プログラム。
【請求項２８】
前記情報保存手順の前に、
前記サーバが前記情報表示機器から前記情報収集機器の前記機器番号を前記通信ネットワークを介して取得する機器番号取得手順と、
前記サーバが前記機器番号取得手順において取得した前記機器番号に対応させて前記カテゴリ領域及び前記情報保存領域を確保する領域確保手順と、
前記サーバが前記領域確保手順において確保した前記カテゴリ領域に前記カテゴリを保存するカテゴリ保存手順と、
を有することを特徴とする請求項２７に記載の広告配信プログラム。
【請求項２９】
前記機器番号取得手順と前記カテゴリ保存手順との間に、
前記サーバが前記カテゴリ保存手順において前記カテゴリ領域に保存する前記カテゴリを前記情報収集機器又は前記情報表示機器の少なくとも一方から前記通信ネットワークを介して取得する第１カテゴリ取得手順をさらに有することを特徴とする請求項２８に記載の広告配信プログラム。
【請求項３０】
前記サーバが、
前記第１広告配信手順で配信した前記広告の中の項目で前記情報表示機器の選択した選択項目を前記通信ネットワークを介して前記情報表示機器から取得する第１広告表示選択取得手順と、
前記第１広告表示選択取得手順で取得した前記選択項目に予め関連付けられた広告情報を前記情報表示機器に前記通信ネットワークを介して折返し配信する第１広告情報配信手順と、
をさらに有することを特徴とする請求項２７から請求項２９に記載の広告配信プログラム。
【請求項３１】
前記サーバが、前記第１広告配信手順において配信する前記広告及び該広告に関連付けられた前記広告情報を予め前記カテゴリに対応させて登録する第１広告登録手順をさらに有することを特徴とする請求項２７から３０のいずれかに記載の広告配信プログラム。
【請求項３２】
前記機器番号取得手順と前記カテゴリ保存手順との間に、
前記サーバがカテゴリ保存手順において前記カテゴリ領域に保存する前記カテゴリを前記情報表示機器から前記通信ネットワークを介して取得する第２カテゴリ取得手順と、
前記サーバが前記第２カテゴリ取得手順において取得した前記カテゴリに一致する広告を、前記情報表示機器に前記通信ネットワークを介して折返し配信する第２広告配信手順と、
をさらに有することを特徴とする請求項２８に記載の広告配信プログラム。
【請求項３３】
前記サーバが、
前記第１広告配信手順又は前記第２広告配信手順で配信した前記広告の中の項目で前記情報表示機器の選択した選択項目を前記通信ネットワークを介して前記情報表示機器から取得する第２広告表示選択取得手順と、
前記第２広告表示選択取得手順で取得した前記選択項目に予め関連付けられた広告情報を前記情報表示機器に前記通信ネットワークを介して折返し配信する第２広告情報配信手順と、
をさらに有することを特徴とする請求項３２に記載の広告配信プログラム。
【請求項３４】
前記サーバが、前記第１広告配信手順及び前記第２広告配信手順において配信する前記広告及び該広告に関連付けられた前記広告情報を予め前記カテゴリに対応させて登録する第２広告登録手順を有することを特徴とする請求項３３に記載の広告配信プログラム。
【発明の詳細な説明】
【技術分野】
【０００１】
本発明は、通信ネットワークを介して広告を配信する広告配信方法、広告配信システム、広告配信サーバ及び広告配信プログラムに関する。
【背景技術】
【０００２】
従来、サーバが通信ネットワークを介して広告を配信する場合、例えばユーザが見たいサイトにアクセスしたときに、サーバは、当該サイトに添付して広告を配信する。そして、広告効果を高めるために種々の方法が提案されている（例えば、特許文献１、２又は３を参照。）。
【特許文献１】特開２００４−２８２２２０号公報
【特許文献２】特開２００４−２３６００２号公報
【特許文献３】特開２００２−３４２２０９号公報
【発明の開示】
【発明が解決しようとする課題】
【０００３】
しかし、特許文献１、２又は３に見られる広告配信方法では、いずれもユーザが簡易に広告を得ることができる広告配信方法を提供するのみで、真にユーザが見たい広告を配信するまでには至っていない。
【０００４】
一方、例えば血圧計や体重計等の医療機器、ＶＴＲ、ＴＶ等のＡＶ機器などの情報収集機器から得られる情報をサーバにおいて管理するものは存在していない。
【０００５】
そこで、本発明では、ユーザにとって興味ある広告の配信が可能で広告効果が高い広告配信方法、広告配信システム、広告配信サーバ及び広告配信プログラムを提供することを目的とする。
【課題を解決するための手段】
【０００６】
本発明では、上記課題を解決するために、ユーザの有する情報収集機器に関係する広告を情報表示機器に配信することとした。
【０００７】
具体的には、本発明に係る広告配信方法は、管理対象となる管理対象情報を収集する情報収集機器から通信ネットワークを介して取得した前記管理対象情報に基づいて前記管理対象情報と共に広告を配信するサーバが情報表示機器による前記情報収集機器の機器番号を特定した前記管理対象情報の配信要求により前記通信ネットワークを介して前記管理対象情報及び前記広告を前記情報表示機器に配信して表示させる広告配信方法であって、前記サーバが前記情報収集機器から前記通信ネットワークを介して前記機器番号と共に取得した前記管理対象情報を、前記機器番号に対応させて予め確保した情報保存領域に保存する情報保存手順と、前記情報保存手順の後に前記サーバが前記情報表示機器から前記通信ネットワークを介して取得した前記配信要求に応じて前記配信要求に係る前記管理対象情報を前記情報保存領域から取り出して前記情報表示機器による表示形式に変換し且つ前記機器番号に対応させて予め確保したカテゴリ領域に保存されたカテゴリに一致する広告を前記変換した前記管理対象情報に添付して前記通信ネットワークを介して前記情報表示機器に配信する第１広告配信手順と、を有することを特徴とする。
【０００８】
情報保存手順において、情報収集機器から管理対象情報を直接サーバで取得してサーバの情報保存領域に保存することにより、情報収集機器で得た管理対象情報をユーザによりサーバに送信する必要がなく、ユーザにとって管理対象情報の管理がし易い。また、ユーザは、第１広告配信手順において、サーバに対して管理対象情報の配信要求をして管理対象情報を取得することから管理対象情報のポータルサイト上での管理が可能となる。ポータルサイト上で管理対象情報を管理すれば、管理対象情報を情報表示機器のブラウザで読み出すことができるため、管理対象情報の管理のための管理ソフトのような特別なソフトが不要となる。また、ポータルサイトにアクセスできれば何処からでも情報表示機器において管理対象情報を読み出すことができる。また、管理対象情報のカテゴリに一致する広告を情報表示機器からの配信要求に応じて配信するので、配信した広告がユーザにとって興味のある広告である可能性が高い。そのため、広告効果が高い。
【０００９】
上記広告配信方法において、前記情報保存手順の前に、前記サーバが前記情報表示機器から前記情報収集機器の前記機器番号を前記通信ネットワークを介して取得する機器番号取得手順と、前記サーバが前記機器番号取得手順において取得した前記機器番号に対応させて前記カテゴリ領域及び前記情報保存領域を確保する領域確保手順と、前記サーバが前記領域確保手順において確保した前記カテゴリ領域に前記カテゴリを保存するカテゴリ保存手順と、を有することが望ましい。
【００１０】
機器番号取得手順において、ユーザが使用する情報収集機器の機器番号を取得してデータベース化することにより、サーバは、例えば広告のカテゴリ毎の配信割合や機器番号毎の広告の配信割合など、広告主に、広告提供の指標を与えることができる。そのため、広告主がユーザにとって興味のある広告を提供できる可能性が高くなり、広告効果を向上させることができる。
【００１１】
また、上記広告配信方法において、前記機器番号取得手順と前記カテゴリ保存手順との間に、前記サーバが前記カテゴリ保存手順において前記カテゴリ領域に保存する前記カテゴリを前記情報収集機器又は前記情報表示機器の少なくとも一方から前記通信ネットワークを介して取得する第１カテゴリ取得手順をさらに有することが望ましい。
【００１２】
第１カテゴリ取得手順において、サーバが管理対象情報のカテゴリを情報表示機器から取得する場合、ユーザによりカテゴリが指定されるため、サーバはユーザの興味あるカテゴリを直接得ることができる。そのため、ユーザにとって興味のある広告をサーバから配信できる可能性が高くなり、広告効果を向上させることができる。一方、管理対象情報のカテゴリを情報収集機器から取得する場合、サーバは、管理対象情報の客観的なカテゴリを得ることができる。そのため、ユーザにとって必要性の高い広告をサーバから配信できる可能性が高くなり、広告効果を向上させることができる。
【００１３】
また、上記広告配信方法において、前記サーバが、前記第１広告配信手順で配信した前記広告の中の項目で前記情報表示機器の選択した選択項目を前記通信ネットワークを介して前記情報表示機器から取得する第１広告表示選択取得手順と、前記第１広告表示選択取得手順で取得した前記選択項目に予め関連付けられた広告情報を前記情報表示機器に前記通信ネットワークを介して折返し配信する第１広告情報配信手順と、をさらに有することが望ましい。
【００１４】
ユーザにより選択された選択項目に応じて広告情報を第１広告情報配信手順において配信することにより、ユーザは興味ある広告情報を確実に見ることが推定される。また、ユーザに対して、広告とその関連情報を分けて配信することにより、より多くの広告を配信することができるため、広告の配信効率がよい。従って、広告効果を向上させることができる。
【００１５】
また、上記広告配信方法において、前記サーバが、前記第１広告配信手順において配信する前記広告及び該広告に関連付けられた前記広告情報を予め前記カテゴリに対応させて登録する第１広告登録手順をさらに有することが望ましい。
【００１６】
第１広告登録手順において広告を登録することにより、広告主は、自己の広告で最新のものをいつでも提供することができる。そのため、広告情報が古くならず、ユーザにとって有益な広告情報を配信できる可能性が高く、広告効果が高い広告配信が可能である。
【００１７】
また、上記広告配信方法において、前記機器番号取得手順と前記カテゴリ保存手順との間に、前記サーバが前記カテゴリ保存手順において前記カテゴリ領域に保存する前記カテゴリを前記情報表示機器から前記通信ネットワークを介して取得する第２カテゴリ取得手順と、前記サーバが前記第２カテゴリ取得手順において取得した前記カテゴリに一致する広告を、前記情報表示機器に前記通信ネットワークを介して折返し配信する第２広告配信手順と、をさらに有することが望ましい。
【００１８】
第２カテゴリ取得手順において、サーバが管理対象情報のカテゴリを情報表示機器から取得する場合、ユーザによりカテゴリが指定されるため、サーバはユーザの興味あるカテゴリを直接得ることができる。そのため、ユーザにとって興味のある広告をサーバから配信できる可能性が高くなり、広告効果を向上させることができる。また、ユーザが情報収集機器のカテゴリを登録する場合、ユーザの情報収集機器に関する情報に対しての興味が高まっていることが推定される。そのため、第２広告配信手順を設けて情報収集機器のカテゴリに関する広告を配信することにより、広告効果を向上させることができる。
【００１９】
また、上記広告配信方法において、前記サーバが、前記第１広告配信手順又は前記第２広告配信手順で配信した前記広告の中の項目で前記情報表示機器の選択した選択項目を前記通信ネットワークを介して前記情報表示機器から取得する第２広告表示選択取得手順と、前記第２広告表示選択取得手順で取得した前記選択項目に予め関連付けられた広告情報を前記情報表示機器に前記通信ネットワークを介して折返し配信する第２広告情報配信手順と、をさらに有することが望ましい。
【００２０】
ユーザにより選択された選択項目に応じて広告情報を第２広告情報配信手順において配信することにより、ユーザは興味ある広告情報を確実に見ることが推定される。また、ユーザに対して、広告とその関連情報を分けて配信することにより、より多くの広告を配信することができるため、広告の配信効率がよい。従って、広告効果を向上させることができる。
【００２１】
また、上記広告配信方法において、前記サーバが、前記第１広告配信手順及び前記第２広告配信手順において配信する前記広告及び該広告に関連付けられた前記広告情報を予め前記カテゴリに対応させて登録する第２広告登録手順を有することが望ましい。
【００２２】
第２広告登録手順において広告を登録することにより、広告主は、自己の広告で最新のものをいつでも提供することができる。そのため、広告情報が古くならず、ユーザにとって有益な広告情報を配信できる可能性が高く、広告効果が高い広告配信が可能である。
【００２３】
また、上記広告配信方法において、前記情報表示機器又は前記情報収集機器が、前記サーバに最初にアクセスする前に、前記サーバにアクセスするための通信ネットワークアドレスを記録媒体から取得するアドレス取得手順を有することが望ましい。
【００２４】
アドレス取得手順を設けて、サーバの通信ネットワークアドレスを記録媒体から取得する構成とすることにより、例えば、当該情報収集機器に関連する広告を多く保有するサーバの通信ネットワークアドレスを記録した記録媒体を添付して情報収集機器を販売することができる。そのため、情報収集機器を購入したユーザは、記録媒体に記録された通信ネットワークアドレスを有するサーバで管理対象情報を管理する可能性が高くなる。従って、サーバによりユーザの興味ある広告を配信できる可能性が高くなり、広告効果を向上させることができる。
【００２５】
また、本発明に係る広告配信システムは、管理対象となる管理対象情報を収集する情報収集機器と、前記情報収集機器から取得した前記管理対象情報に基づいて前記管理対象情報と共に広告を配信するサーバと、前記サーバから前記管理対象情報及び前記広告を取得して表示する情報表示機器と、前記情報収集機器、前記サーバ及び前記情報表示機器が接続される通信ネットワークと、を有する広告配信システムであって、前記情報収集機器は、収集した前記管理対象情報を前記情報収集機器の機器番号と共に前記サーバに向けて送信する情報送信手段を有し、前記情報表示機器は、前記情報収集機器の前記機器番号を特定した前記サーバへの前記管理対象情報の配信要求を前記通信ネットワークを介して行う配信要求手段と、前記配信要求手段により要求した前記管理対象情報及びこれに添付される前記広告を前記サーバから前記通信ネットワークを介して取得して表示する情報取得表示手段と、を有し、前記サーバは、前記情報収集機器の前記情報送信手段から前記通信ネットワークを介して前記機器番号と共に取得した前記管理対象情報を前記機器番号に対応させて予め確保した情報保存領域に保存する情報保存手段と、前記情報表示機器の前記配信要求手段による前記配信要求に応じて前記管理対象情報を前記情報保存領域から取り出して前記情報表示機器による表示形式に変換し且つ前記機器番号に対応させて予め確保したカテゴリ領域に保存されたカテゴリに一致する広告を前記変換した前記管理対象情報に添付して前記情報表示機器の前記情報取得表示手段に前記通信ネットワークを介して配信する第１広告配信手段と、を有することを特徴とする。
【００２６】
情報収集機器の情報送信手段から管理対象情報を直接サーバに送信し、サーバの情報保存手段で取得してサーバの情報保存領域に保存することにより、情報収集機器で得た管理対象情報をユーザによりサーバに送信する必要がなく、ユーザにとって管理対象情報の管理がし易い。また、ユーザは、情報表示機器の配信要求手段により、サーバに対して管理対象情報の配信要求をして管理対象情報を取得することから管理対象情報のポータルサイト上での管理が可能となる。ポータルサイト上で管理対象情報を管理すれば、管理対象情報を情報表示機器のブラウザで読み出すことができるため、管理対象情報の管理のための管理ソフトのような特別なソフトが不要となる。また、ポータルサイトにアクセスできれば何処からでも情報表示機器において管理対象情報を読み出すことができる。また、サーバの第１広告配信手段が管理対象情報のカテゴリに一致する広告を情報表示機器からの配信要求に応じて配信するので、配信した広告がユーザにとって興味のある広告である可能性が高い。そのため、広告効果が高い。
【００２７】
上記広告配信システムにおいて、前記情報表示機器は、前記情報収集機器の機器番号を前記通信ネットワークを介して前記サーバに送信する機器番号送信手段を有し、前記サーバは、前記機器番号送信手段から前記機器番号を取得する機器番号取得手段と、前記機器番号取得手段による前記機器番号の取得に応じて、前記機器番号に対応した前記カテゴリ領域及び前記情報保存領域を確保する領域確保手段と、前記領域確保手段により確保した前記カテゴリ領域に前記カテゴリを保存するカテゴリ保存手段と、を有することが望ましい。
【００２８】
サーバが、情報表示機器の機器番号送信手段からユーザが使用する情報収集機器の機器番号を取得し、サーバのカテゴリ保存手段によりデータベース化することにより、例えば広告のカテゴリ毎の配信割合や機器番号毎の広告の配信割合など、広告主に、広告提供の指標を与えることができる。そのため、広告主がユーザにとって興味のある広告を提供できる可能性が高くなり、広告効果を向上させることができる。
【００２９】
また、上記広告配信システムにおいて、前記情報収集機器又は前記情報表示機器の少なくとも一方は、前記サーバが前記カテゴリ保存手段により保存する前記カテゴリを前記通信ネットワークを介して前記サーバに送信する第１カテゴリ送信手段をさらに有することが望ましい。
【００３０】
サーバのカテゴリ保存手段により、管理対象情報のカテゴリを情報表示機器の第１カテゴリ送信手段から取得する場合、ユーザによりカテゴリが指定されるため、サーバのカテゴリ保存手段はユーザの興味あるカテゴリを直接得ることができる。そのため、ユーザにとって興味のある広告をサーバから配信できる可能性が高くなり、広告効果を向上させることができる。一方、管理対象情報のカテゴリを情報収集機器の第１カテゴリ送信手段から取得する場合、サーバのカテゴリ保存手段は、管理対象情報の客観的なカテゴリを得ることができる。そのため、ユーザにとって必要性の高い広告をサーバから配信できる可能性が高くなり、広告効果を向上させることができる。
【００３１】
また、上記広告配信システムにおいて、前記情報表示機器は、前記第１広告配信手段により配信された前記広告の中の項目で選択した選択項目を前記通信ネットワークを介して前記サーバに送信する第１広告表示選択手段を有し、前記サーバは、前記第１広告表示選択手段から取得した前記選択項目に関連付けられた広告情報を前記情報表示機器に前記通信ネットワークを介して折返し配信する第１広告情報配信手段をさらに有することが望ましい。
【００３２】
サーバの第１広告情報配信手段がユーザにより選択された選択項目に応じて広告情報を配信することにより、ユーザは興味ある広告情報を確実に見ることが推定される。また、ユーザに対して、広告とその関連情報を分けて配信することにより、より多くの広告を配信することができるため、広告の配信効率がよい。従って、広告効果を向上させることができる。
【００３３】
また、上記広告配信システムにおいて、前記サーバは、前記第１広告配信手段により配信する前記広告及び該広告に関連付けられた前記広告情報を前記カテゴリに対応させて登録する第１広告登録手段をさらに有することが望ましい。
【００３４】
サーバの第１広告登録手段により広告を登録することにより、広告主は、自己の広告で最新のものをいつでも提供することができる。そのため、広告情報が古くならず、ユーザにとって有益な広告情報を配信できる可能性が高く、広告効果が高い広告配信が可能である。
【００３５】
また、上記広告配信システムにおいて、前記情報表示機器は、前記サーバが前記カテゴリ保存手段により保存する前記カテゴリを前記通信ネットワークを介して前記サーバに送信する第２カテゴリ送信手段をさらに有し、前記サーバは、前記第２カテゴリ送信手段から取得した前記カテゴリに一致する前記広告を、前記情報表示機器に前記通信ネットワークを介して折返し配信する第２広告配信手段をさらに有することが望ましい。
【００３６】
サーバのカテゴリ保存手段により、管理対象情報のカテゴリを情報表示機器の第２カテゴリ送信手段から取得する場合、ユーザによりカテゴリが指定されるため、サーバのカテゴリ保存手段はユーザの興味あるカテゴリを直接得ることができる。そのため、ユーザにとって興味のある広告をサーバから配信できる可能性が高くなり、広告効果を向上させることができる。また、ユーザが情報収集機器のカテゴリを登録する場合、ユーザの情報収集機器に関する情報に対しての興味が高まっていることが推定される。そのため、このときにサーバの第２広告配信手段が情報収集機器のカテゴリに関する広告を配信することにより、広告効果を向上させることができる。
【００３７】
また、上記広告配信システムにおいて、前記情報表示機器は、前記第１広告配信手段又は前記第２広告配信手段により配信された前記広告の中の項目で選択した選択項目を前記通信ネットワークを介して前記サーバに送信する第２広告表示選択手段を有し、前記サーバは、前記第２広告表示選択手段から取得した前記選択項目に関連付けられた広告情報を前記情報表示機器に前記通信ネットワークを介して折返し配信する第２広告情報配信手段をさらに有することが望ましい。
【００３８】
サーバの第２広告情報配信手段がユーザにより選択された選択項目に応じて広告情報を配信することにより、ユーザは興味ある広告情報を確実に見ることが推定される。また、ユーザに対して、広告とその関連情報を分けて配信することにより、より多くの広告を配信することができるため、広告の配信効率がよい。従って、広告効果を向上させることができる。
【００３９】
また、上記広告配信システムにおいて、前記サーバは、前記第１広告配信手段及び前記第２広告配信手段により配信する前記広告及び該広告に関連付けられた前記広告情報を前記カテゴリに対応させて登録する第２広告登録手段をさらに有することが望ましい。
【００４０】
サーバの第２広告登録手段により広告を登録することにより、広告主は、自己の広告で最新のものをいつでも提供することができる。そのため、広告情報が古くならず、ユーザにとって有益な広告情報を配信できる可能性が高く、広告効果が高い広告配信が可能である。
【００４１】
また、上記広告配信システムにおいて、前記情報表示機器は、前記サーバにアクセスするための通信ネットワークアドレスを記録媒体から取得するアドレス取得手段を有することが望ましい。
【００４２】
前記情報収集機器又は前記情報表示機器のアドレス取得手段によりサーバの通信ネットワークアドレスを記録媒体から取得する構成とすることにより、例えば、当該情報収集機器に関連する広告を多く保有するサーバの通信ネットワークアドレスを記録した記録媒体を添付して情報収集機器を販売することができる。そのため、情報収集機器を購入したユーザは、記録媒体に記録された通信ネットワークアドレスを有するサーバで管理対象情報を管理する可能性が高くなる。従って、サーバによりユーザの興味ある広告を配信できる可能性が高くなり、広告効果を向上させることができる。
【００４３】
また、本発明に係る広告配信サーバは、管理対象となる管理対象情報を収集する情報収集機器による前記管理対象情報に基づいて前記管理対象情報と共に広告を通信ネットワークを介して情報表示機器に配信して表示させる広告配信サーバであって、前記情報収集機器から前記通信ネットワークを介して情報表示機器の機器番号と共に取得した前記管理対象情報を前記機器番号に対応させて予め確保した情報保存領域に保存する情報保存手段と、前記情報表示機器による前記情報収集機器の前記機器番号を特定した前記管理対象情報の配信要求に応じて前記管理対象情報を前記情報保存領域から取り出して前記情報表示機器による表示形式に変換し且つ前記機器番号に対応させて予め確保したカテゴリ領域に保存されたカテゴリに一致する広告を前記変換した前記管理対象情報に添付して前記情報表示機器に前記通信ネットワークを介して配信する第１広告配信手段と、を有することを特徴とする。
【００４４】
情報保存手段が、情報収集機器から管理対象情報を直接取得して情報保存領域に保存することにより、情報収集機器で得た管理対象情報をユーザによりサーバに送信する必要がなく、ユーザにとって管理対象情報の管理がし易い。また、サーバは、情報表示機器の配信要求に応じて管理対象情報を情報表示機器に送信することから、管理対象情報のポータルサイト上での管理が可能となる。ポータルサイト上で管理対象情報を管理すれば、管理対象情報を情報表示機器のブラウザで読み出すことができるため、管理対象情報の管理のための管理ソフトのような特別なソフトが不要となる。また、ポータルサイトにアクセスできれば何処からでも情報表示機器において管理対象情報を読み出すことができる。また、第１広告配信手段が管理対象情報のカテゴリに一致する広告を情報表示機器からの配信要求に応じて配信するので、配信した広告がユーザにとって興味のある広告である可能性が高い。そのため、広告効果が高い。
【００４５】
上記広告配信サーバにおいて、前記情報表示機器から前記情報収集機器の機器番号を前記通信ネットワークを介して取得する機器番号取得手段と、前記機器番号取得手段による前記機器番号の取得に応じて、前記機器番号に対応した前記カテゴリ領域及び前記情報保存領域を確保する領域確保手段と、前記領域確保手段により確保した前記カテゴリ領域に前記カテゴリを保存するカテゴリ保存手段と、を有することが望ましい。
【００４６】
機器番号取得手段により、情報表示機器からユーザが使用する情報収集機器の機器番号を取得し、カテゴリ保存手段によりデータベース化することにより、例えば広告のカテゴリ毎の配信割合や機器番号毎の広告の配信割合など、広告主に、広告提供の指標を与えることができる。そのため、広告主がユーザにとって興味のある広告を提供できる可能性が高くなり、広告効果を向上させることができる。
【００４７】
また、上記広告配信サーバにおいて、前記サーバは、前記カテゴリ保存手段において保存する前記カテゴリを前記情報収集機器又は前記情報表示機器の少なくとも一方から前記通信ネットワークを介して取得する第１カテゴリ取得手段をさらに有することが望ましい。
【００４８】
カテゴリ保存手段が保存する管理対象情報のカテゴリを情報表示機器から取得する場合、ユーザによりカテゴリが指定されるため、カテゴリ保存手段はユーザの興味あるカテゴリを直接得ることができる。そのため、ユーザにとって興味のある広告をサーバから配信できる可能性が高くなり、広告効果を向上させることができる。一方、保存する管理対象情報のカテゴリを情報収集機器から取得する場合、カテゴリ保存手段は、管理対象情報の客観的なカテゴリを得ることができる。そのため、ユーザにとって必要性の高い広告をサーバから配信できる可能性が高くなり、広告効果を向上させることができる。
【００４９】
また、上記広告配信サーバにおいて、前記第１広告配信手段により情報表示機器に対して配信した前記広告の中の項目で前記情報表示機器により選択された選択項目を前記情報表示機器から前記通信ネットワークを介して取得し且つ取得した前記選択項目に関連付けられた広告情報を前記情報表示機器に前記通信ネットワークを介して折返し配信する第１広告情報配信手段をさらに有することが望ましい。
【００５０】
第１広告情報配信手段がユーザにより選択された選択項目に応じて広告情報を配信することにより、ユーザは興味ある広告情報を確実に見ることが推定される。また、ユーザに対して、広告とその関連情報を分けて配信することにより、より多くの広告を配信することができるため、広告の配信効率がよい。従って、広告効果を向上させることができる。
【００５１】
また、上記広告配信サーバにおいて、前記第１広告配信手段により配信する前記広告及び該広告に関連付けられた前記広告情報を前記カテゴリに対応させて登録する第１広告登録手段をさらに有することが望ましい。
【００５２】
第１広告登録手段が広告を登録することにより、広告主は、自己の広告で最新のものをいつでも提供することができる。そのため、広告情報が古くならず、ユーザにとって有益な広告情報を配信できる可能性が高く、広告効果が高い広告配信が可能である。
【００５３】
また、上記広告配信サーバにおいて、前記サーバは、前記カテゴリ保存手段において保存する前記カテゴリを前記情報表示機器から前記通信ネットワークを介して取得する第２カテゴリ取得手段と、第２カテゴリ取得手段で取得した前記カテゴリに一致する前記広告を前記情報表示機器に前記通信ネットワークを介して折返し配信する第２広告配信手段と、をさらに有することが望ましい。
【００５４】
カテゴリ保存手段が保存する管理対象情報のカテゴリを情報表示機器から取得する場合、ユーザによりカテゴリが指定されるため、カテゴリ保存手段はユーザの興味あるカテゴリを直接得ることができる。そのため、ユーザにとって興味のある広告をサーバから配信できる可能性が高くなり、広告効果を向上させることができる。また、ユーザが情報収集機器のカテゴリを登録する場合、ユーザの情報収集機器に関する情報に対しての興味が高まっていることが推定される。そのため、このときに第２広告配信手段が情報収集機器のカテゴリに関する広告を配信することにより、広告効果を向上させることができる。
【００５５】
また、上記広告配信サーバにおいて、前記第１広告配信手段又は前記第２広告配信手段により情報表示機器に対して配信した前記広告の中の項目で前記情報表示機器により選択された選択項目を前記情報表示機器から前記通信ネットワークを介して取得し且つ取得した前記選択項目に関連付けられた広告情報を前記情報表示機器に前記通信ネットワークを介して折返し配信する第２広告情報配信手段をさらに有することが望ましい。
【００５６】
第２広告情報配信手段がユーザにより選択された選択項目に応じて広告情報を配信することにより、ユーザは興味ある広告情報を確実に見ることが推定される。また、ユーザに対して、広告とその関連情報を分けて配信することにより、より多くの広告を配信することができるため、広告の配信効率がよい。従って、広告効果を向上させることができる。
【００５７】
また、上記広告配信サーバにおいて、前記第１広告配信手段及び前記第２広告配信手段により配信する前記広告及び該広告に関連付けられた前記広告情報を前記カテゴリに対応させて登録する第２広告登録手段をさらに有することが望ましい。
【００５８】
第２広告登録手段が広告を登録することにより、広告主は、自己の広告で最新のものをいつでも提供することができる。そのため、広告情報が古くならず、ユーザにとって有益な広告情報を配信できる可能性が高く、広告効果が高い広告配信が可能である。
【００５９】
また、本発明に係る広告配信プログラムは、管理対象となる管理対象情報を収集する情報収集機器から通信ネットワークを介して取得した前記管理対象情報に基づいて前記管理対象情報と共に広告を配信するサーバが情報表示機器による前記情報収集機器の機器番号を特定した前記管理対象情報の配信要求により前記通信ネットワークを介して前記管理対象情報及び前記広告を前記情報表示機器に配信して表示させる広告配信方法をコンピュータによって実行させるための広告配信プログラムであって、前記サーバが前記情報収集機器から前記通信ネットワークを介して前記機器番号と共に取得した前記管理対象情報を、前記機器番号に対応させて予め確保した情報保存領域に保存する情報保存手順と、情報保存手順の後に前記サーバが前記情報表示機器から前記通信ネットワークを介して取得した前記配信要求に応じて前記配信要求に係る前記管理対象情報を前記情報保存領域から取り出して前記情報表示機器による表示形式に変換し且つ前記機器番号に対応させて予め確保したカテゴリ領域に保存されたカテゴリに一致する広告を前記変換した前記管理対象情報に添付して前記通信ネットワークを介して前記情報表示機器に配信する第１広告配信手順と、を有することを特徴とする。
【００６０】
情報保存手順において、情報収集機器から管理対象情報を直接サーバで取得してサーバの情報保存領域に保存することにより、情報収集機器で得た管理対象情報をユーザによりサーバに送信する必要がなく、ユーザにとって管理対象情報の管理がし易い。また、ユーザは、第１広告配信手順において、サーバに対して管理対象情報の配信要求をして管理対象情報を取得することから管理対象情報のポータルサイト上での管理が可能となる。ポータルサイト上で管理対象情報を管理すれば、管理対象情報を情報表示機器のブラウザで読み出すことができるため、管理対象情報の管理のための管理ソフトのような特別なソフトが不要となる。また、ポータルサイトにアクセスできれば何処からでも情報表示機器において管理対象情報を読み出すことができる。また、管理対象情報のカテゴリに一致する広告を情報表示機器からの配信要求に応じて配信するので、配信した広告がユーザにとって興味のある広告である可能性が高い。そのため、広告効果が高い。
【００６１】
上記広告配信プログラムにおいて、前記情報保存手順の前に、前記サーバが前記情報表示機器から前記情報収集機器の前記機器番号を前記通信ネットワークを介して取得する機器番号取得手順と、前記サーバが前記機器番号取得手順において取得した前記機器番号に対応させて前記カテゴリ領域及び前記情報保存領域を確保する領域確保手順と、前記サーバが前記領域確保手順において確保した前記カテゴリ領域に前記カテゴリを保存するカテゴリ保存手順と、を有することが望ましい。
【００６２】
機器番号取得手順において、ユーザが使用する情報収集機器の機器番号を取得してデータベース化することにより、サーバは、例えば広告のカテゴリ毎の配信割合や機器番号毎の広告の配信割合など、広告主に、広告提供の指標を与えることができる。そのため、広告主がユーザにとって興味のある広告を提供できる可能性が高くなり、広告効果を向上させることができる。
【００６３】
上記広告配信プログラムにおいて、前記機器番号取得手順と前記カテゴリ保存手順との間に、前記サーバがカテゴリ保存手順において前記カテゴリ領域に保存する前記カテゴリを前記情報収集機器又は前記情報表示機器の少なくとも一方から前記通信ネットワークを介して取得する第１カテゴリ取得手順をさらに有することが望ましい。
【００６４】
第１カテゴリ取得手順において、サーバが管理対象情報のカテゴリを情報表示機器から取得する場合、ユーザによりカテゴリが指定されるため、サーバはユーザの興味あるカテゴリを直接得ることができる。そのため、ユーザにとって興味のある広告をサーバから配信できる可能性が高くなり、広告効果を向上させることができる。一方、管理対象情報のカテゴリを情報収集機器から取得する場合、サーバは、管理対象情報の客観的なカテゴリを得ることができる。そのため、ユーザにとって必要性の高い広告をサーバから配信できる可能性が高くなり、広告効果を向上させることができる。
【００６５】
また、上記広告配信プログラムにおいて、前記サーバが、前記第１広告配信手順で配信した前記広告の中の項目で前記情報表示機器の選択した選択項目を前記通信ネットワークを介して前記情報表示機器から取得する第１広告表示選択取得手順と、前記第１広告表示選択取得手順で取得した前記選択項目に予め関連付けられた広告情報を前記情報表示機器に前記通信ネットワークを介して折返し配信する第１広告情報配信手順と、をさらに有することが望ましい。
【００６６】
ユーザにより選択された選択項目に応じて広告情報を第１広告情報配信手順において配信することにより、ユーザは興味ある広告情報を確実に見ることが推定される。また、ユーザに対して、広告とその関連情報を分けて配信することにより、より多くの広告を配信することができるため、広告の配信効率がよい。従って、広告効果を向上させることができる。
【００６７】
また、上記広告配信プログラムにおいて、前記サーバが、前記第１広告配信手順において配信する前記広告及び該広告に関連付けられた前記広告情報を予め前記カテゴリに対応させて登録する第１広告登録手順をさらに有することが望ましい。
【００６８】
第１広告登録手順において広告を登録することにより、広告主は、自己の広告で最新のものをいつでも提供することができる。そのため、広告情報が古くならず、ユーザにとって有益な広告情報を配信できる可能性が高く、広告効果が高い広告配信が可能である。
【００６９】
上記広告配信プログラムにおいて、前記機器番号取得手順と前記カテゴリ保存手順との間に、前記サーバがカテゴリ保存手順において前記カテゴリ領域に保存する前記カテゴリを前記情報表示機器から前記通信ネットワークを介して取得する第２カテゴリ取得手順と、前記サーバが前記第２カテゴリ取得手順において取得した前記カテゴリに一致する広告を、前記情報表示機器に前記通信ネットワークを介して折返し配信する第２広告配信手順と、をさらに有することが望ましい。
【００７０】
第２カテゴリ取得手順において、サーバが管理対象情報のカテゴリを情報表示機器から取得する場合、ユーザによりカテゴリが指定されるため、サーバはユーザの興味あるカテゴリを直接得ることができる。そのため、ユーザにとって興味のある広告をサーバから配信できる可能性が高くなり、広告効果を向上させることができる。また、ユーザが情報収集機器の機器番号を登録する場合、ユーザの情報収集機器に関する情報に対しての興味が高まっていることが推定される。そのため、第２広告配信手順を設けて情報収集機器のカテゴリに関する広告を配信することにより、広告効果を向上させることができる。
【００７１】
上記広告配信プログラムにおいて、前記サーバが、前記第１広告配信手順又は前記第２広告配信手順で配信した前記広告の中の項目で前記情報表示機器の選択した選択項目を前記通信ネットワークを介して前記情報表示機器から取得する第２広告表示選択取得手順と、前記第２広告表示選択取得手順で取得した前記選択項目に予め関連付けられた広告情報を前記情報表示機器に前記通信ネットワークを介して折返し配信する第２広告情報配信手順と、をさらに有することが望ましい。
【００７２】
ユーザにより選択された選択項目に応じて広告情報を第２広告情報配信手順において配信することにより、ユーザは興味ある広告情報を確実に見ることが推定される。また、ユーザに対して、広告とその関連情報を分けて配信することにより、より多くの広告を配信することができるため、広告の配信効率がよい。従って、広告効果を向上させることができる。
【００７３】
上記広告配信プログラムにおいて、前記サーバが、前記第１広告配信手順及び前記第２広告配信手順において配信する前記広告及び該広告に関連付けられた前記広告情報を予め前記カテゴリに対応させて登録する第２広告登録手順を有することが望ましい。
【００７４】
第２広告登録手順において広告を登録することにより、広告主は、自己の広告で最新のものをいつでも提供することができる。そのため、広告情報が古くならず、ユーザにとって有益な広告情報を配信できる可能性が高く、広告効果が高い広告配信が可能である。
【発明の効果】
【００７５】
本発明によれば、ユーザにとって興味ある広告の配信が可能で高い広告効果を得ることができる。
【発明を実施するための最良の形態】
【００７６】
以下に、本発明に係る広告配信方法、広告配信システム、広告配信サーバ及び広告配信プログラムについて実施形態を示して詳細に説明するが、本発明は、以下の記載に限定して解釈されない。
【００７７】
図１に、本実施形態に係る広告配信システムの概略構成図を示す。なお、本明細書においては、「ユーザ」は、情報収集機器及び情報表示機器を使用して広告配信システムを利用する者、「広告主」は、広告を提供する者、「サーバ」は、広告配信システムを提供するサーバ業者が有する装置をそれぞれ意味するものとする。
【００７８】
本実施形態に係る広告配信システム１００は、管理対象となる管理対象情報を収集する情報収集機器３と、情報収集機器３から取得した管理対象情報に基づいて管理対象情報と共に広告を配信するサーバ１と、サーバ１から管理対象情報及び広告を取得して表示する情報表示機器２と、情報収集機器３、サーバ１及び情報表示機器２が接続される通信ネットワーク７と、を有する。また、この他に、広告主６の保有する広告を送信する広告主の情報表示機器４を通信ネットワーク７に接続している。
【００７９】
本実施形態に係る広告配信システム１００において、ユーザ５は、ユーザ５の保有する情報収集機器３によって収集する管理対象情報をサーバ１によって管理する。さらに、ユーザ５は、サーバ１によって管理されている管理対象情報をサーバ１から取得して情報表示機器２で適宜表示させる。
【００８０】
情報収集機器３は、例えば体重計３１や血圧計（不図示）等の医療機器、ＶＴＲ３２やＴＶ（不図示）等のＡＶ機器など、一定の目的を持ってデータを収集する機器を適用することができる。そして、情報収集機器３の収集する管理対象情報は、サーバ１で管理対象情報を識別させるため、情報収集機器３の機器番号に対応させて送信される。本実施形態のように情報収集機器３が例えば血圧計であれば血圧値等の生体に関する情報、ＶＴＲであれば録画・録音等の記録情報が含まれ得る。いずれも、機器によって収集され管理の対象となる情報が該当する。また、情報収集機器３で管理対象情報を収集した時刻を管理対象情報に同時に含ませることもできる。ここで、機器番号は、情報収集機器３と１対１に対応させることとしてもよいし、同種の情報収集機器３については機器番号を同じとしてもよい。情報収集機器３と機器番号とを１対１に対応させると、情報収集機器３それぞれの管理対象情報が個別化するため管理対象情報の管理の自由度を増すことができる。一方、同種の情報収集機器について機器番号を同じとすると、同種の情報収集機器からの管理対象情報が一まとめになるため、管理対象情報の管理が容易となる。なお収集する管理対象情報は、例えば情報収集機器３としての体重計３１が体重と体脂肪との２つのデータを計測するように、１つの情報収集機器３で１つであってもよいし複数であってもよい。この場合、複数の管理対象情報をそれぞれ識別するときには、機器番号と共に別の識別番号を適用する。例えば、管理対象情報毎に定められた情報番号を適用することができる。
【００８１】
情報表示機器２は、通信ネットワーク７に接続可能な、例えば図１に示すように携帯端末２２、ＰＣ２１又はＰＤＡ（不図示）等の情報を表示する機器を適用することができる。
【００８２】
なお、携帯端末２２は通信ネットワーク７に直接接続されているが、通信ネットワーク７には、図１に示すように、情報収集機器３及び情報表示機器２としてのＰＣ２１が形成するＬＡＮ（ローカルエリアネットワーク）がルータ２５を介して接続される形態も含まれる。また、通信ネットワーク７には、情報収集機器、情報表示機器、及びサーバを任意の数接続可能である。また、通信ネットワーク７は、無線、有線を問わない。また、通信ネットワーク７内での情報の送信方法は、ＣＤＭＡ方式やパケット通信方式等、通常の情報送信手段を適宜適用することができる。
【００８３】
サーバ１は、管理対象情報を保存してポータルサイト上で管理する。ここで、ポータルサイトとは、情報表示機器２を通信ネットワーク７に接続したとき、Ｗｅｂブラウザで最初に表示されるＷｅｂサイトをいう。また、サーバ１は、管理対象情報のカテゴリに一致する広告を情報表示機器２に配信する。ここで、管理対象情報のカテゴリは、例えば情報収集機器３が血圧計、体重計、ＶＴＲ、ＴＶである場合には、それぞれ血圧計、体重計、ＶＴＲ、ＴＶとしてもよい。また、血圧計及び体重計について血圧計及び体重計を総括した「健康器具」としてもよい。また、血圧計及び体重計が関係する「健康」としてもよい。さらに、血圧計、体重計、ＶＴＲ、ＴＶについて、血圧計、体重計、ＶＴＲ、ＴＶを総括した「家電」としてもよい。いずれも情報収集機器３の収集する管理対象情報の性質に応じてカテゴリを定める。また、上記のカテゴリとしてユーザ５の属性を適用することとしてもよい。例えば、情報収集機器３を会社等の組織で利用する場合には「会社」、個人で利用する場合には「個人」とする。このように、上記のカテゴリとしてユーザ５の属性を適用すると、サーバ１での広告配信をユーザ５の属性に即したものとすることができる。
【００８４】
広告主６は、サーバ１に広告を提供する。広告の提供方法はいずれの方法（例えば、記録媒体に広告の情報を記憶してサーバ業者に郵送し、サーバ業者がサーバ１に広告の情報をインストールする。）であってもよいが、本実施形態に示すように広告主の情報表示機器４から通信ネットワーク７を介して広告を提供することにより、広告が発生したときにそれを直ぐにサーバ１に提供することが可能となり、効率的な広告の配信が可能となる。広告主の情報表示機器４は、例えばＰＣ２４を適用することができる
【００８５】
ここで、図１及び図２を参照して本実施形態に係る広告配信システムにおける広告配信方法について説明する。
【００８６】
図２は、図１に示す情報表示機器２としてのＰＣ２１のディスプレイに表示される情報の一例を示している。図２では、Ｗｅｂブラウザをウィンドウの表示形式で表示する例を示している。
【００８７】
まず、図１に示すように、管理対象情報をサーバ１で管理させるため、情報収集機器３としての体重計３１は、収集した管理対象情報（例えば、体重）を情報収集機器３としての体重計３１の機器番号と共に通信ネットワーク７を介してサーバ１に向けて送信する（矢印４１）。そして、サーバ１は、情報収集機器３から取得した管理対象情報を、情報収集機器３としての体重計３１の機器番号に対応させて予め確保した情報保存領域に保存する（情報保存手順）。
【００８８】
このように、管理対象情報を情報収集機器３としての体重計３１から直接サーバ１に送信してサーバ１の情報保存領域に保存することにより、情報収集機器３としての体重計３１で得た管理対象情報をユーザ５によりサーバ１に送信する必要がなく、ユーザ５にとって管理対象情報の管理がし易い。
【００８９】
その後、ユーザ５は、情報表示機器２としてのＰＣ２１において表示させたい管理対象情報を情報収集機器３としての体重計３１の機器番号により特定し、特定した管理対象情報に対する配信要求を情報表示機器２から通信ネットワーク７を介して行う（矢印４２）。
【００９０】
例えば、ユーザ５は、図２に示すように、予め図１に示すサーバ１から配信されるポータルサイトのメイン画面９１における項目（メール、辞書、マイページ等）の中から項目「マイページ」を選択する。項目「マイページ」を選択すると、図１に示す情報表示機器２としてのＰＣ２１では、コンテンツ「マイページ」９２が表示される。このコンテンツ「マイページ」９２は、ユーザ固有に設定されたもので、例えばユーザＩＤやパスワードによってユーザ５（図１）のみが利用できるコンテンツである。図１に示すユーザ５は、コンテンツ「マイページ」９２における項目（ダイアリー、アドレス等）の中から項目「健康」を選択する。そして、ユーザ５による項目「健康」の選択により、情報表示機器２では、図２に示すようにコンテンツ「健康」９３が表示されることとなる。ここで、コンテンツ「マイページ」９２の中で、項目「ダイアリー」、「アドレス」及び「ブックマーク」の選択により接続されるコンテンツ「ダイアリー」（不図示）、「アドレス」（不図示）及び「ブックマーク」（不図示）は、図１に示すユーザ５が情報表示機器２としてのＰＣ２１のキーボード等を使用して入力した情報を含むコンテンツである。一方、図２に示すコンテンツ「健康」９３は、図１に示す本実施形態に係る広告配信システム１００により管理された管理対象情報を含むコンテンツである。
【００９１】
図２に示すコンテンツ「健康」９３には、図1に示すユーザ５所有の情報収集機器３のリストが表示される。このリストの中から例えば項目「体重計」を選択することにより情報収集機器３（図１）としての体重計３１の機器番号が特定され、サーバ１で管理されている管理対象情報の配信要求（図１に示す矢印４２）を行うことができる。
【００９２】
そして、図１に示すサーバ１は、情報表示機器２としてのＰＣ２１から取得した配信要求に応じて、配信要求に係る管理対象情報を情報保存領域から取り出して情報表示機器２としてのＰＣ２１による表示形式に変換する。また、変換した管理対象情報に、情報収集機器３としての体重計３１の機器番号に対応させて予め確保したカテゴリ領域に保存されたカテゴリに一致する広告を添付する。サーバ１は、広告を添付した管理対象情報を配信要求元の情報表示機器２としてのＰＣ２１に配信（矢印４３）して、広告配信を終了させる（第１広告配信手順）。
【００９３】
例えば、図１に示す情報表示機器２としてのＰＣ２１では、ユーザ５が図２に示すコンテンツ「健康」９３の中の項目「体重計」を選択すると、図１に示す情報収集機器３としての体重計３１の管理対象情報がサーバ１においてＷｅｂブラウザの形式に変換され、サーバ１からコンテンツ「体重計」９４が配信されることとなる。そして、サーバ１から配信されたコンテンツ「体重計」９４においてその内容が表示されることとなる。例えば、図２に示すように、予め情報収集機器３としての体重計３１（図１）から送信した体重計３１のデータを推移のグラフ９５に変換したものが表示される。ここで、コンテンツ「体重計」９４の中で表示される情報としての体重計データの推移のグラフ９５は、体重計データの推移を示した表であってもよい。図１に示すサーバ１は、管理対象情報をユーザ５が理解し易い形式に適宜変換して配信する。また、図２に示す体重計のデータの推移のグラフ９５の任意の測定期間を指定するため、配信要求の際に機器番号の特定の他に、情報収集機器３としての体重計３１からの管理対象情報の送信期間を特定してもよい。
【００９４】
また、体重の推移グラフ９５と共に情報収集機器３としての体重計３１のカテゴリに関するアイコン型の広告９６が表示される。ここで、情報収集機器３としての体重計３１のカテゴリは、例えばカテゴリ「体重計」及び／又は「ダイエット」及び／又は「健康器具」が想定できる。そのため、アイコン型の広告９６には、これらのカテゴリに関連する例えば、サプリメント等のダイエット食品関連のものや、歩数計や体脂肪計等の健康器具商品関連のものが含まれることとなる。
【００９５】
ここで、本実施形態では、アイコン型の広告９６を表示することとしたが、広告は、テキスト型で表示することとしてもよい。広告の表示をテキスト型とすると、図１に示す情報表示機器２として例えば携帯端末２２を使用する場合に、携帯端末２２の表示スペースを有効に使用することができる。また、広告の他にも、図１に示すサーバ１は、例えば、体重計３１の推移のグラフ９５に応じた健康管理へのアドバイス等、管理対象情報に基づいてサーバ１側で添付した２次的な情報を表示することとしてもよい。ユーザ５に有益な情報を付加することにより、広告配信システム１００の利用価値が向上する。
【００９６】
なお、図１に示す情報収集機器３としての体重計３１がポータルサイト上で何れかに分類されるかはポータルサイトの運用上の便宜である。そのため、図２では、コンテンツ「マイページ」９２における項目「健康」は、情報収集機器３としての体重計３１の管理対象情報のカテゴリと必ずしも一致するものではないが、情報収集機器３は、ポータルサイト上で管理対象情報のカテゴリ別に分類することとしてもよい。また、本実施形態では、図２に示すように複数のコンテンツの選択を介してコンテンツ「体重計」９４を表示することとしたが、管理対象情報を表示することができれば、いずれのアクセス方法であってもよい。例えば、図１に示すユーザ５がコンテンツ「健康」９３において選択可能な項目が１つのみの場合は、コンテンツ「マイページ」９２の中で項目「健康」を選択すると直接コンテンツ「体重計」９４に接続するようにしてもよい。管理対象情報へのアクセス方法は、ポータルサイトの運用上適宜変更可能である。
【００９７】
このように、本実施形態に係る広告配信方法では、図１に示すユーザ５は、サーバ１に対する配信要求をして管理対象情報を取得する。そのため、管理対象情報のポータルサイト上での管理が可能となる。ポータルサイト上で管理対象情報を管理すれば、管理対象情報を情報表示機器２のブラウザで読み出すことができるため、管理対象情報の管理のための管理ソフトのような特別なソフトが不要となる。また、ポータルサイトにアクセスできれば何処からでも情報表示機器２において管理対象情報を読み出すことができる。また、サーバ１が、管理対象情報のカテゴリに一致する広告を情報表示機器２からの配信要求に応じて配信するので、配信した広告がユーザ５にとって興味のある広告である可能性が高くなり、広告効果を向上させることができる。なお、ユーザ５は、アイコン型の広告９６を選択するとその関連情報にアクセス可能となることが望ましいが、この説明は後に行う。
【００９８】
ここで、図３を参照して、サーバでの管理対象情報の保存形態について説明する。図３は、情報保存領域及びカテゴリ領域を含むユーザ情報データベースの一例を示している。
【００９９】
図３に示すユーザ情報データベース１０は、図１に示すサーバ１に保存されており、情報保存領域１１及びカテゴリ領域１２を確保している。このユーザ情報データベース１０において、管理対象情報は、情報収集機器３（図１）の機器番号に対応させて予め確保されている。また、カテゴリ領域１２も同様に情報収集機器３（図１）の機器番号に対応させてユーザ情報データベース１０に予め確保されている。そして、カテゴリ領域１２は、管理対象情報のカテゴリを管理対象情報に対応してそれぞれ保存している。
【０１００】
例えば、機器番号０００１には１つ（情報１）の管理対象情報が情報保存領域１１に保存され、機器番号０００３には４つ（情報１から情報４）の管理対象情報が情報保存領域１１に保存されている。そして、機器番号０００１の情報１にはカテゴリ１が対応してカテゴリ領域１２に保存され、機器番号０００３の情報１から情報４には、順にカテゴリ２、３、１、３がそれぞれ対応してカテゴリ領域１２に保存されている。
【０１０１】
また、本実施形態では、機器番号等を図１に示すユーザ５のユーザＩＤ及びパスワードによって管理することとしている。そのため、ユーザ５は、本実施形態に係る広告配信システム１００を利用するため、まず先に図１に示すサーバ１に対してユーザ登録を行って、サーバ１にユーザ固有のデータベース領域を確保する。例えば、ユーザ５がユーザ登録を行っていない場合には、ユーザ５が図２に示す項目「マイページ」を選択するとユーザ５の情報表示機器２としてのＰＣ２１をコンテンツ「ユーザ登録」（不図示）に接続することとし、図１に示すサーバ１は、コンテンツ「ユーザ登録」（不図示）の中で、ユーザ５の住所、年齢、電話番号、メールアドレス等の個人情報及びパスワードの入力をユーザ５に対して要求する。そして、図１に示すサーバ１は、情報表示機器２としてのＰＣ２１からのユーザ５の入力情報の受信を確認するとユーザＩＤを発行することとする。このように、ユーザＩＤ及びパスワードを適用することで、サーバ１でのユーザ認証が可能となり、情報の流出等を防止でき、広告配信システム１００の安全性を確保することができる。一方、ユーザＩＤの発行後は、ユーザ５が図２に示す項目「マイページ」を選択すると、図１に示すサーバ１は、ユーザ５に対しユーザＩＤ及びパスワードの入力を要求してユーザ認証を行う。そして、認証されると、コンテンツ「マイページ」９２が配信されることとなる。なお、図１に示すサーバ１は、図２に示すポータルサイトのコンテンツ「マイページ」９２を配信する場合の他にも情報収集機器３から管理対象情報等の情報を取得する場合、又は情報表示機器２から配信要求等の情報を取得する場合など、ユーザ５と情報収集機器３又はユーザ５と情報表示機器２とを対応させる必要があるときには、情報収集機器３又は情報表示機器２にユーザＩＤ及びパスワードを要求するものとする。そして、サーバ１は、ユーザＩＤ及びパスワードを基にユーザ５の認証を行うこととする。
【０１０２】
ここで、図１に示すサーバ１は、ユーザＩＤ及びパスワードの発行と共に、本実施形態に係る広告配信システム１００をユーザ５が利用するための有効期限付きサーバ利用権を有料で発行するようにしてもよい。即ち、情報収集機器３は、有効期限内でのみサーバ１に管理対象情報を送信することができるようにする。広告配信システム１００の健全な利用を図るためである。有効期限の終了は、サーバ１から通信ネットワーク７を介して情報収集機器３に書き込まれた有効期限から情報収集機器３が判断するようにしてもよい。つまり、情報収集機器３は有効期限内のみ管理対象情報をサーバ１に送信するようにする。この場合、例えば、情報収集機器３は、定期的にサーバ１に対して時刻を問い合わせる時計を保持していて、有効期限が来ると情報収集機器３の管理対象情報の送信を終了する。一方、情報収集機器３から送信される管理対象情報をサーバ１が受け付けないようにして有効期限を終了させてもよい。また、この有効期限の延長は、ユーザ５がサーバ利用権を購入する毎に行うようにしてもよいし、情報表示機器２からの管理対象情報の要求数に応じてポイントを加算して、有効期限終了の際の当該ポイント数に応じて延長するようにしてもよい。また、ポイント数は、管理対象情報に添付された広告からの当該広告のサイトへのアクセス数若しくは広告のサイトでのアンケート記入の回数に応じて加算してもよいし、当該広告のサイトで、商品を購入した場合にその購入額に応じて加算してもよい。このようにして有効期限を延長することにより広告配信システム１００の利用率を高め、また広告効果を向上させることができる。
【０１０３】
図１に示すサーバ１は、図３に示す管理対象情報の情報保存領域１１に保存する情報保存手順（図１：矢印４１）の前に、ユーザ情報データベース１０を予め確保することが望ましい。具体的には、サーバ１が情報収集機器３から送信された管理対象情報（矢印４１に示す手順）を保存する情報保存手順の前に、情報収集機器３の機器番号を通信ネットワーク７を介してサーバ１に送信（矢印４４）し、サーバ１が送信された機器番号を取得する（機器番号取得手順）。その後、サーバ１は、情報表示機器２から取得した機器番号に対応させて図３に示すカテゴリ領域１２及び情報保存領域１１を確保する（領域確保手順）。そして、サーバ１は、確保したカテゴリ領域１２にカテゴリを保存する（カテゴリ保存手順）ことにより、図３に示すユーザ情報データベース１０が作成される。例えば、図１に示す情報収集機器３としての体重計３１の機器番号の送信は、図２に示すポータルサイト上で行うこととする。例えば、コンテンツ「マイページ」９２の中に項目「機器番号登録」を設けることとする。そして、図１に示す情報表示機器２としてのＰＣ２１は、図２に示す項目「機器番号登録」の選択により接続するコンテンツ「機器番号登録」（不図示）においてユーザ５（図１）から入力された機器番号をサーバ１に送信する。このようにしてユーザ５が使用する情報収集機器３としての体重計３１の機器番号を情報表示機器２としてのＰＣ２１から取得してデータベース化することにより、サーバ１は、例えば広告のカテゴリ毎の配信割合や機器番号毎の広告の配信割合など、広告主６に、データベースを基にした広告提供の指標を与えることができる。そのため、広告主６がユーザ５にとって興味のある広告を提供できる可能性が高くなり、広告効果を向上させることができる。
【０１０４】
また、図３に示すカテゴリ領域１２に保存されるカテゴリは、図１に示す情報表示機器２又は情報収集機器３の少なくとも一方から送信されることが望ましい。具体的には、情報表示機器２から送信された機器番号（矢印４４に示す手順）をサーバ１が取得する手順（機器番号取得手順）とカテゴリ領域１２にカテゴリを保存する手順（カテゴリ保存手順）との間で、情報収集機器３又は情報表示機器２の少なくとも一方から情報収集機器３の収集しうる管理対象情報のカテゴリを通信ネットワーク７を介してサーバ１に送信する（矢印４５）。サーバ１は、送信されたカテゴリを取得する（第１カテゴリ取得手順）。そして、サーバ１は、取得したカテゴリを、カテゴリ保存手順として図３に示すカテゴリ領域１２に保存することが望ましい。
【０１０５】
情報収集機器３からカテゴリを送信する場合の送信タイミングについては、例えば、図１に示すサーバ１が情報収集機器３としての体重計３１から送信された管理対象情報（矢印４１に示す手順）を保存する情報保存手順において、管理対象情報と共に対応するカテゴリを情報収集機器３としての体重計３１が送信することでよい。この場合、カテゴリは情報収集機器３に予め設定されているとカテゴリと広告との対応関係をサーバ１の側で決めておくことができるため、サーバ１にとって広告の配信がし易い。一方、情報表示機器２としてのＰＣ２１からカテゴリを送信する場合、例えば、ポータルサイト上で行うことができる。例えば図２に示すコンテンツ「マイページ」９２の中に項目「カテゴリ登録」を設けることとする。そして、図１に示す情報表示機器２は、項目「カテゴリ登録」の選択により接続するコンテンツ「カテゴリ登録」（不図示）においてユーザ５から入力されたカテゴリをサーバ１に送信する。この場合、ユーザ５は、自由にカテゴリを入力できることとしてもよいし、予め用意した複数のカテゴリから選択するようにしてもよい。複数のカテゴリから選択するようにするとカテゴリと広告との対応関係をサーバ１の側で決めておくことができるため、サーバ１にとって広告の管理がし易い。このようにして、図１に示すサーバ１は、管理対象情報のカテゴリを情報表示機器２から取得する場合、ユーザ５によりカテゴリが指定されるためユーザ５の興味あるカテゴリを直接得ることができる。そのため、ユーザ５にとって興味のある広告をサーバ１から配信できる可能性が高くなり、広告効果を向上させることができる。一方、管理対象情報のカテゴリを情報収集機器３から取得する場合、サーバ１は、管理対象情報の客観的なカテゴリを得ることができる。そのため、ユーザ５にとって必要性の高い広告をサーバ１から配信できる可能性が高くなり、広告効果を向上させることができる。
【０１０６】
また、情報収集機器３又は情報表示機器２の少なくとも一方からカテゴリを取得する第１カテゴリ取得手順（矢印４５）において、図１に示す情報表示機器２からカテゴリを取得することとした場合（第２カテゴリ取得手順）、サーバ１は、取得したカテゴリに一致する広告を情報表示機器２に通信ネットワーク７を介して折返し配信（第２広告配信手順：矢印４６）することが望ましい。
【０１０７】
例えば、図２に示すコンテンツ「マイページ」９２の中に設けたコンテンツ「カテゴリ登録」（不図示）でユーザ５が入力したカテゴリを図１に示すサーバ１が情報表示機器２としてのＰＣ２１から取得すると、サーバ１は、カテゴリの登録完了通知と共にカテゴリに一致する広告を添付して情報表示機器２としてのＰＣ２１に送信することとする。そして情報表示機器２としてのＰＣ２１は、カテゴリの登録完了通知と共に、カテゴリに一致する広告を表示する。ユーザ５が管理対象情報のカテゴリを登録する場合、ユーザ５の管理対象情報に対しての興味が高まっていることが推定される。そのため、このときに情報収集機器３のカテゴリに関する広告を配信することにより、広告効果を向上させることができる。
【０１０８】
このように本実施形態では、カテゴリの登録に際して広告が情報表示機器２としてのＰＣ２１に配信される（矢印４６）。また、広告が情報表示機器２に配信される（矢印４３）。この広告は、例えば直接広告の情報が書き込まれたものとしてもよいが、バナー広告等の別のサイトにリンクしたものとすると、情報表示機器２の画面上少ないスペースで情報量を増やすことができる。そのため、本実施形態に係る広告配信方法では、図１に示す情報表示機器２からカテゴリを送信した後又は情報表示機器２が配信要求をした後にサーバ１から情報表示機器２に配信（矢印４６）及び（矢印４３）された広告の中の項目で情報表示機器２の選択した選択項目をサーバ１が通信ネットワーク７を介して情報表示機器２から取得し（第１広告表示選択取得手順又は第２広告表示選択取得手順：矢印４７）、取得した選択項目に予め関連付けられた広告情報を情報表示機器２に通信ネットワーク７を介して折返し配信する（第１広告情報配信手順又は第２広告情報配信手順：矢印４８）ことが望ましい。例えば、ユーザ５が図２に示す広告１を選択すると、情報表示機器２としてのＰＣ２１は、健康器具販売のサイトに接続し、広告２を選択すると、情報表示機器２としてのＰＣ２１は、ダイエットサプリメント販売のサイトに接続することとする。このようにしてユーザ５により選択された選択項目に応じて広告情報を配信することにより、ユーザ５は興味ある広告情報を確実に見ることが推定される。また、ユーザ５に対して、広告とその関連情報を分けて配信することにより、より多くの広告を配信することができるため、広告の配信効率がよい。従って、広告効果を向上させることができる。
【０１０９】
また、図１に示す情報表示機器２に表示される広告は、予め広告主６がサーバ１に対して登録しておくことが望ましい。具体的には、情報表示機器２に広告が配信される前に、サーバ１が、広告及び広告に関連付けられた広告情報をカテゴリに対応させて登録する（第１広告登録手順又は第２広告登録手順）。本実施形態では、広告主６は、広告主の情報表示機器４を介して広告及び広告情報をサーバ１に送信（矢印４９）して登録する。
【０１１０】
ここで、図４を参照して、サーバが、広告主から登録された広告及び広告情報を管理する方法について説明する。図４は、広告及び広告情報を含む広告主情報データベースの一例を示している。
【０１１１】
本実施形態では、図４に示す広告及び広告情報は図１に示す広告主６の広告主ＩＤ及びパスワードに対応して管理することとしている。例えば広告主ＩＤｃ０１２３４には、５つの広告及び広告情報（広告１から広告５及び広告情報１から広告情報５）が保存されている。そのため、図１に示す広告主６は、サーバ１に広告及び広告情報を広告登録するため、まず先にサーバ１に対して広告主登録を行って、サーバ１にデータベース領域を確保する。例えば、図２に示すポータルサイトのメイン画面９１に項目「広告登録」（不図示）を設け、広告主６が広告主登録を行っていない場合には、ユーザ５が項目「広告登録」（不図示）を選択するとユーザ５の情報表示機器２を項目「広告主登録」（不図示）に接続することとし、図１に示すサーバ１は、コンテンツ「広告主登録」（不図示）の中で、広告主６の住所、電話番号、メールアドレス等の個人情報及びパスワードの入力を広告主６に対して要求する。そして、サーバ１は、広告主の情報表示機器４からの広告主６の入力情報の受信を確認すると、広告主ＩＤを発行することとする。このように、広告主ＩＤ及びパスワードを適用することで、広告提供に信頼性を持たせ、広告配信システム１００の安全性を確保することができる。
【０１１２】
広告主６は、広告主ＩＤの取得後、広告主の情報表示機器４から広告及び広告情報をサーバ１に送信する。そして、サーバ１は、広告主６から広告及び広告情報を受信すると、図４に示すように広告主ＩＤ及びパスワードに対応して広告主情報データベース１３に保存する。例えば、広告及び広告情報は、図２に示すポータルサイト上で登録することとする。例えば、ポータルサイトのメイン画面９１に項目「広告登録」（不図示）を設け、広告主６は、項目「広告登録」（不図示）の選択により接続するコンテンツ「広告登録」（不図示）において、広告及び広告情報を入力してサーバ１に送信する。このようにして、広告を登録することにより、広告主６は、自己の広告で最新のものをいつでも提供することができる。そのため、広告情報が古くならず、ユーザ５にとって有益な広告情報を配信できる可能性が高く、広告効果が高い広告配信が可能である。
【０１１３】
また、図４に示す広告及び広告情報にはカテゴリが対応して保存されている。このカテゴリは、図１に示すサーバ１の側で対応させることとしてもよいし、広告主６が、予めカテゴリを対応させた広告及び広告情報をサーバ１に送信することとしてもよい。カテゴリをサーバ１の側で対応させることとすると、配信する広告の種類に専門性を持たせることができる。一方、カテゴリを広告主６の側で対応させることとすると、ユーザ５からのアクセス状況に応じて自由にカテゴリを選択することができる。なお、本実施形態では、広告に対応する広告情報、広告及び広告情報に対応するカテゴリはそれぞれ１つとしたが、広告配信のバリエーションを増やすため、広告情報及びカテゴリは複数あってもよい。
【０１１４】
さらに、図１に示す情報収集機器３又は情報表示機器２は、サーバ１に最初にアクセスする前、つまり本実施形態に係る広告配信システム１００を利用する前に、サーバ１にアクセスするための通信ネットワークアドレスを記録媒体から取得する（アドレス取得手順）ことが望ましい。ここで、サーバ１に最初にアクセスする前とは、情報表示機器２については、サーバ１に管理対象情報の配信要求をする前か、又は情報収集機器３の機器番号をサーバ１に登録する前をいう。一方、情報収集機器３については、サーバ１に管理対象情報を送信する前か、又はサーバ１にカテゴリを送信する前のうちいずれか最先の時の前をいう。本実施形態では、ユーザ登録の前のうち何れか最先の時の前に、情報表示機器２は、サーバ１にアクセスするための通信ネットワークアドレスを記録媒体から取得することとする。一方、情報収集機器３は、カテゴリを送信する場合にはカテゴリを送信する前に、カテゴリを送信しない場合には管理対象情報を送信する前に、サーバ１にアクセスするための通信ネットワークアドレスを記録媒体から取得することとする。
【０１１５】
記録媒体としては、例えば図１に示すようにＣＤＲＯＭ２３、３３やフラッシュメモリ（不図示）、メモリカード（不図示）、ＲＦＩＤ（Ｒａｄｉｏ  Ｆｒｅｑｕｅｎｃｙ  Ｉｄｅｎｔｉｆｉｃａｔｉｏｎ）（不図示））等のコンピュータで読み取り可能なものを適用することができる。通信ネットワークアドレスを記録媒体から取得する構成とすることにより、例えば、情報収集機器３に関連する広告を多く保有するサーバ１の通信ネットワークアドレスを記録した記録媒体を添付して情報収集機器３を販売することができる。そのため、情報収集機器３を購入したユーザ５は、記録媒体に記録された通信ネットワークアドレスを有するサーバ１で管理対象情報を管理する可能性が高くなる。従って、サーバ１によりユーザ５の興味ある広告を配信できる可能性が高くなり、広告効果を向上させることができる。また、記録媒体の内容を更新することとすれば、より最新のポータルサイトの提供が可能となる。
【０１１６】
次に、図１に示す広告配信システムの各部の構成について図２から図４及び図５から図８を参照して説明する。ここで、図５は、本実施形態に係る広告配信システムにおける情報収集機器の一例を示した概略構成図である。図６は、本実施形態に係る広告配信システムにおける情報表示機器の一例を示した概略構成図である。図７は、本実施形態に係る広告配信システムにおけるサーバの一例を示した概略構成図である。図８は、本実施形態に係る広告配信システムにおける広告主の情報表示機器の一例を示した概略構成図である。なお、図５から図８では、それぞれ同一の広告配信システムを示し、情報収集機器、情報表示機器、広告主の情報表示機器及びサーバは、図１に示す情報収集機器３、情報表示機器２、広告主の情報表示機器４及びサーバ１にそれぞれ対応する。また、図５から図８では、便宜上情報収集機器、情報表示機器、広告主の情報表示機器及びサーバのうちいずれか１つの構成を示しているが、構成が示されていないものについても各図で同一のものを示すものとする。
【０１１７】
本実施形態に係る広告配信システム１００において、図５に示す情報収集機器３は、収集した管理対象情報を情報収集機器３の機器番号と共にサーバ１に向けて送信する情報送信手段を有する。本実施形態では、情報送信手段として、管理対象情報を収集する収集部５４と、収集部５４で収集した管理対象情報に情報収集機器３の機器番号を情報として添付する添付部５１と、添付部５１で機器番号の情報が添付された管理対象情報をサーバ１に向けて送信する送信部５２と、を有する。また、情報収集機器３の機器番号の情報を記憶する記憶部５６と、添付部５１の要求に応じて記憶部５６に記憶された機器番号の情報を検索して添付部５１に付与する検索部５５と、を有する。
【０１１８】
そして、図７に示すサーバ１は、情報収集機器３から取得した管理対象情報を情報保存手段により保存する。また、情報保存手段は、管理対象情報を情報収集機器３の機器番号に対応させて予め確保した情報保存領域１１（図３）に保存する。本実施形態では、サーバ１は、情報保存手段として、情報収集機器３から送信された管理対象情報を機器番号と共に受信する受信部７９と、受信部７９で受信した管理対象情報を図３で説明したユーザ情報データベース１０中の情報保存領域１１に保存する記憶部７４と、を有する。
【０１１９】
このように、図５に示す情報収集機器３の構成により、収集した管理対象情報を直接サーバ１に送信することができる。そして、送信した管理対象情報をサーバ１の情報保存領域１１に保存することにより、情報収集機器３で得た管理対象情報をユーザによりサーバ１に送信する必要がなく、ユーザにとって管理対象情報の管理がし易い。
【０１２０】
また、図６に示す情報表示機器２は、情報収集機器３の機器番号を特定したサーバ１への管理対象情報の配信要求を通信ネットワーク７を介して行う配信要求手段を有する。本実施形態では、配信要求手段として、ユーザからの機器番号の入力を受け付けて機器番号を特定する入力部６１と、入力部６１により特定された機器番号の情報をサーバ１に送信する送信部６４と、を有する。また、送信部６４が機器番号の情報をサーバ１に送信するため、サーバ１の通信ネットワークアドレスを記憶する記憶部６６と、送信部６４からの要求に応じてサーバ１の通信ネットワークアドレスを記憶部６６から検索して送信部６４に付与する検索部６５と、を有する。
【０１２１】
また、情報表示機器２は、上記の配信要求手段で要求した管理対象情報及びこれに添付される広告をサーバ１から通信ネットワーク７を介して取得して表示する情報取得表示手段を有する。本実施形態では、情報取得表示手段として、サーバ１から送信された管理対象情報及び広告を受信する受信部６３と、受信部６３で受信した管理対象情報及び広告を表示する表示部６２と、を有する。
【０１２２】
ここで、情報表示機器２の表示部６２は、図２で説明したポータルサイトについても表示することができる。そして、図６に示す情報表示機器２は、予めユーザに対してユーザＩＤ及びパスワードの入力を受け付けた後、表示部６２により図２で説明したポータルサイトを表示させる。情報表示機器２の入力部６１は、図２に示すコンテンツ「健康」９３の中で、ユーザによる項目「体重計」の選択により、図１に示す情報収集機器３としての体重計３１の機器番号を受け付けて特定することができる。なお、ユーザＩＤ及びパスワードの入力の受け付けは、入力部６１によって行うこととしてもよい。また、ユーザＩＤ及びパスワードは、前述したように予め図２に示すポータルサイト上でユーザ登録を行って得ることができる。そのため、図６に示す情報表示機器２は、表示部６２で図２に示すポータルサイトのメイン画面９１を表示し、入力部６１でユーザからのユーザ登録の際の登録事項の受付を行うこととしてもよい。
【０１２３】
このように、ユーザは、サーバ１に対して管理対象情報の配信要求をして管理対象情報を取得することから、図２に示すように管理対象情報のポータルサイト上での管理が可能となる。ポータルサイト上で管理対象情報を管理すれば、管理対象情報を情報表示機器２のブラウザで読み出すことができるため、管理対象情報の管理のための管理ソフトのような特別なソフトが不要となる。また、ポータルサイトにアクセスできれば何処からでも情報表示機器２において管理対象情報を読み出すことができる。
【０１２４】
また、図７に示すサーバ１は、情報表示機器２の配信要求手段による配信要求に応じて管理対象情報を情報保存領域１１（図３）から取り出して情報表示機器２による表示形式に変換し且つ機器番号に対応させて予め確保したカテゴリ領域１２（図３）に保存されたカテゴリに一致する広告を、変換した管理対象情報に添付して情報表示機器２の情報取得表示手段に通信ネットワーク７を介して配信する第１広告配信手段を有する。本実施形態では、第１広告配信手段として、受信部７９に情報表示機器２からの配信要求を受信する機能を持たせることとし、受信部７９の要求により配信要求に係る管理対象情報を記憶部７４に記憶されたユーザ情報データベース１０の情報保存領域１１（図３）から検索して取り出す検索部７３と、検索部７３により取り出された管理対象情報を情報表示機器２による表示形式に変換する変換部７１と、変換部７１で変換された管理対象情報に、記憶部７４に記憶されたユーザ情報データベース１０のカテゴリ領域１２（図３）に保存されたカテゴリに一致する広告を添付して出力する添付部７５と、添付部７５から出力された管理対象情報及び広告を情報表示機器２に向けて送信する送信部７８と、を有する。また本実施形態では、添付部７５の要求に応じて、記憶部７４から広告を検索して添付部７５に付与する機能を検索部７３に持たせることとする。
【０１２５】
さらに、本実施形態では、図７に示すサーバ１は、情報表示機器２に対して配信要求の入力を促す入力部７６を有している。そのため、本実施形態では、図２で説明したポータルサイトは、サーバの入力部７６から送信部７８を介して情報表示機器２に配信することができる。
【０１２６】
このように、管理対象情報のカテゴリに一致する広告を情報表示機器２からの配信要求に応じて配信するので、配信した広告がユーザにとって興味のある広告である可能性が高くなる。そのため、本実施形態に係る広告配信システム１００では、広告効果が高い。
【０１２７】
また、本実施形態では、ユーザＩＤ及びパスワードによって管理対象情報を管理するため、ユーザは、ユーザ登録を行うこととする。ユーザ登録は前述したように図２に示すポータルサイト上で行うことができる。そのため、本実施形態では、図７に示すサーバ１の入力部７６に、ユーザによるユーザ登録の際のユーザの住所、年齢、電話番号、メールアドレス等の個人情報及びパスワードの入力を促す機能を持たせることとする。また、サーバ１は、情報表示機器２からのユーザの入力情報の受信を確認するとユーザＩＤを発行する発行部７７を有し、発行部７７で発行したユーザＩＤを送信部７８を介して情報表示機器２に送信する。
【０１２８】
また、本実施形態では、サーバ１は、情報収集機器３又は情報表示機器２からの入力を受け付けるときに、ユーザ認証を行う。そのため、本実施形態では、アクセスを要求する情報収集機器３又は情報表示機器２にユーザＩＤ及びパスワードを要求してユーザ認証をする認証部７２を設け、認証部７２の要求に応じて記憶部７４に記憶されたユーザ情報データベース１０からユーザＩＤ及びパスワードを検索して認証部７２に付与する機能を検索部７３に持たせることとする。このように、ユーザＩＤ及びパスワードを適用してユーザ認証を行うことで、情報の流出等を防止でき、広告配信システム１００の安全性を確保することができる。
【０１２９】
また、本実施形態では、ユーザＩＤ及びパスワードの発行と共に、有効期限付きサーバ利用権を有料で発行することもできるため、図５に示す情報収集機器３は、サーバ１から有効期限の情報を受信する受信部５３を有する。また、本実施形態では、受信部５３で受信した有効期限の情報を保存する機能（有効期限が書き込まれる機能）を記憶部５６に持たせることとする。
【０１３０】
また、本実施形態では、サーバ１は、図３で説明したユーザ情報データベース１０を記憶部７４に記憶する。この、ユーザ情報データベース１０内には、図３で説明したように、管理対象情報を保存する情報保存領域１１及び管理対象情報のカテゴリを保存するカテゴリ領域１２を有している。ここで、情報保存領域１１及びカテゴリ領域１２は、情報表示機器２からの情報収集機器３の機器番号の送信に応じて確保することが望ましい。
【０１３１】
具体的には、図６に示す情報表示機器２は、情報収集機器３の機器番号を通信ネットワーク７を介してサーバ１に送信する機器番号送信手段を有する。本実施形態では、機器番号送信手段として、ユーザからの機器番号の入力を受け付ける機能を入力部６１に持たせ、さらに入力部６１により受け付けた機器番号の情報をサーバ１に送信する機能を送信部６４に持たせることとする。また、検索部６５は、送信部６４からの要求に応じてサーバ１の通信ネットワークアドレスを記憶部６６から検索して送信部６４に付与する。
【０１３２】
例えば、情報表示機器２の機器番号の送信は、前述したように図２に示すポータルサイト上で行うことができる。図２に示すポータルサイトは、予め図６に示すサーバ１から配信され、図６に示す情報表示機器２の表示部６２で表示される。ユーザは、図２に示すコンテンツ「マイページ」９２の中に設けられたコンテンツ「機器番号登録」（不図示）において機器番号を入力する。そして、情報表示機器２は、入力された機器番号を入力部６１（図６）で受け付け、入力部６１（図６）から送信部６４（図６）を介してサーバ１に送信する。
【０１３３】
また、図７に示すサーバ１は、情報表示機器２の機器番号送信手段から機器番号を取得する機器番号取得手段を有することが望ましい。本実施形態では、機器番号取得手段として、受信部７９に機器番号を取得する機能を持たせることとする。
【０１３４】
また、サーバ１は、機器番号取得手段による機器番号の取得に応じて、機器番号に対応したカテゴリ領域１２（図３）及び情報保存領域１１（図３）を確保する領域確保手段を有することが望ましい。本実施形態では、ユーザ情報データベース１０を記憶する記憶部７４と、ユーザ情報データベース１０からユーザＩＤを検索する検索部７３と、に領域確保手段としての機能を持たせることとする。受信部７９は、検索部７３で検索したユーザＩＤに一致する記憶領域に機器番号を送信する。そして、記憶部７４は、機器番号に対応させてカテゴリ領域１２（図３）及び情報保存領域１１（図３）を確保する。また、記憶部７４は、領域確保手段により確保したカテゴリ領域１２にカテゴリを保存するカテゴリ保存手段としての機能も有している。
【０１３５】
このようにしてユーザが使用する情報収集機器３の機器番号を情報表示機器２から取得してデータベース化することにより、サーバ１は、例えば広告のカテゴリ毎の配信割合や機器番号毎の広告の配信割合など、広告主に、データベースを基にした広告提供の指標を与えることができる。そのため、広告主がユーザにとって興味のある広告を提供できる可能性が高くなり、広告効果を向上させることができる。
【０１３６】
また、図５に示す情報収集機器３又は図６に示す情報表示機器２の少なくとも一方は、情報収集機器３の収集しうる管理対象情報のカテゴリを通信ネットワーク７を介してサーバ１に送信する第１カテゴリ送信手段を有することが望ましい。図５に示す情報収集機器３の場合、本実施形態では、第１カテゴリ送信手段として、情報収集機器３の収集する管理対象情報のカテゴリの情報を記憶する機能を記憶部５６に持たせ、記憶部５６に記憶されたカテゴリの情報を送信する機能を送信部５２に持たせ、送信部５２の要求に応じて記憶部５６からカテゴリの情報を検索する機能を検索部５５に持たせることとする。また、送信部５２の要求に応じてカテゴリの情報にサーバ１の通信ネットワークアドレスを添付する機能を添付部５１に持たせることとする。一方、図６に示す情報表示機器２の場合、第１カテゴリ送信手段として、情報収集機器３の収集する管理対象情報のカテゴリの情報を記憶する機能を記憶部６６に持たせ、記憶部６６に記憶されたカテゴリの情報を送信する機能を送信部６４に持たせ、送信部６４の要求に応じて記憶部６６からカテゴリの情報を検索する機能を検索部６５に持たせることとする。なお、前述したように、検索部６５は、送信部６４の要求に応じてカテゴリの情報にサーバ１の通信ネットワークアドレスを付与する機能を有している。
【０１３７】
そして、図７に示すサーバ１は、図５に示す情報収集機器３の第１カテゴリ送信手段又は図６に示す情報表示機器２の第１カテゴリ送信手段の少なくとも一方から図７に示すサーバ１の受信部７９を介して取得したカテゴリをカテゴリ保存手段としての記憶部７４に保存することが望ましい。
【０１３８】
管理対象情報のカテゴリを情報表示機器２から取得する場合、サーバ１は、ユーザによりカテゴリが指定されるためユーザの興味あるカテゴリを直接得ることができる。そのため、サーバ１は、ユーザにとって興味のある広告をサーバ１から配信できる可能性が高くなり、広告効果を向上させることができる。一方、管理対象情報のカテゴリを情報収集機器３から取得する場合、サーバ１は、管理対象情報の客観的なカテゴリを得ることができる。そのため、ユーザにとって必要性の高い広告をサーバ１から配信できる可能性が高くなり、広告効果を向上させることができる。
【０１３９】
また、サーバ１が情報表示機器２からカテゴリを受信することとした場合、図７に示すサーバ１は、図６に示す情報表示機器２の第１カテゴリ送信手段と同様の構成の第２カテゴリ送信手段から取得したカテゴリに一致する広告を、情報表示機器２に通信ネットワーク７を介して折返し配信する第２広告配信手段を有することが望ましい。本実施形態では、第２広告配信手段として、情報表示機器２から取得したカテゴリに一致する広告をサーバ１の記憶部７４に記憶された広告主情報データベース１３（図４参照）から検索する機能を検索部７３に持たせることとする。
【０１４０】
本実施形態では、図２で説明したように、コンテンツ「マイページ」９２の中に設けたコンテンツ「カテゴリ登録」でユーザが入力したカテゴリを図７に示すサーバ１の受信部７９が情報表示機器２から取得すると、サーバ１は、カテゴリの登録完了通知と共にカテゴリに一致する広告を記憶部７４から取り出して情報表示機器２に送信部７８を介して送信することとする。そして図６に示す情報表示機器２は、カテゴリの登録完了通知と共に、カテゴリに一致する広告を受信部６３で受信し、表示部６２で表示する。ユーザが管理対象情報のカテゴリを登録する場合、ユーザの管理対象情報に対しての興味が高まっていることが推定される。そのため、このときに情報収集機器３の機器番号に関する広告を配信することにより、広告効果を向上させることができる。
【０１４１】
また、図６に示す情報表示機器２は、図７に示すサーバ１の第１広告配信手段又は第２広告配信手段によりサーバ１から配信された広告の中の項目で選択した選択項目を通信ネットワーク７を介してサーバ１に送信する広告表示選択手段を有することが望ましい。本実施形態では、広告表示選択手段として、広告の中の項目での選択を受け付ける機能を図６に示す情報表示機器２の入力部６１に持たせ、入力部６１で受け付けた選択項目の情報をサーバ１に送信する機能を送信部６４に持たせることとする。例えば、情報表示機器２は、表示部６２において図２に示すポータルサイトを表示させ、ユーザによる広告１（図２）の選択を図６に示す入力部６１で受け付ける。そして、情報表示機器２は、図６に示す送信部６４から広告１としての選択項目情報をサーバ１に送信する。
【０１４２】
また、図７に示すサーバ１は、図６に示す情報表示機器２の広告表示選択手段から取得した選択項目に関連付けられた広告情報を情報表示機器２に通信ネットワーク７を介して折返し配信する広告情報配信手段を有することが望ましい。本実施形態では、広告情報配信手段として、情報表示機器２から選択項目を取得する機能を受信部７９に持たせ、選択項目としての広告に関連付けられた広告情報を記憶部７４から検索する機能を検索部７３に持たせ、検索部７３で検索した広告情報を情報表示機器２に送信する機能を送信部７８に持たせることとする。サーバ１は、選択項目情報を受信部７９で受信すると、検索部７３で広告主情報データベース１３を検索し、広告１（図２）に対応する広告情報、例えば健康器具販売のサイトの情報を送信部７８を介して情報表示機器２に送信する。このようにしてユーザにより選択された選択項目に応じて広告情報を配信することにより、ユーザは興味ある広告情報を確実に見ることが推定される。また、ユーザに対して、広告とその関連情報を分けて配信することにより、より多くの広告を配信することができるため、広告の配信効率がよい。従って、広告効果を向上させることができる。
【０１４３】
また、図７に示すサーバ１は、第１広告配信手段又は第２広告配信手段により配信する広告及び該広告に関連付けられた広告情報をカテゴリに対応させて登録する広告登録手段を有することが望ましい。本実施形態では、記憶部７４に記憶された広告主情報データベース１３に広告及び該広告に関連付けられた広告情報をカテゴリに対応させて登録することにより広告登録手段としての機能を持たせている。広告を登録することにより、広告主により最新の広告をいつでも提供することができる。そのため、広告情報が古くならず、ユーザにとって有益な広告情報を配信できる可能性が高く、広告効果が高い広告配信が可能である。
【０１４４】
本実施形態では、広告の登録を通信ネットワーク７を介して行うために、広告主は、広告主の情報表示機器４から広告及び広告情報をサーバ１に送信する。広告主の情報表示機器４は、図８に示すように、広告主からの広告及び広告情報の入力を受け付ける入力部８１と、入力部８１で受け付けた広告及び広告情報を送信する送信部８４と、を有する。また、サーバ１の通信ネットワークアドレスを記憶する記憶部８６と、記憶部８６に記憶されたサーバ１の通信ネットワークアドレスを送信部８４の要求に応じて検索して送信部８４に付与する検索部８５と、を有する。本実施形態に示すように広告主の情報表示機器４から通信ネットワーク７を介して広告を提供することにより、広告が発生したときにそれを直ぐにサーバ１に提供することが可能となり、効率的な広告の配信が可能となる。
【０１４５】
また、広告及び広告情報のサーバ１への登録は、前述したように、図２に示すポータルサイト上で行うことができるため、図８に示す広告主の情報表示機器４は、サーバ１から配信されるポータルサイト（図２）の情報を受信する受信部８３と、受信部８３で受信したポータルサイトを表示する表示部８２と、を有する。図７に示すサーバ１は、予め入力部７６からポータルサイトのメイン画面９１（図２）を広告主の情報表示機器４へ送信して広告主の広告登録を要求する。そして、広告主の情報表示機器４は受信部８３でポータルサイトの情報を受信し、表示部８２で受信したポータルサイトを表示する。広告主は、表示部８２で表示されたポータルサイトのメイン画面９１に設けられたコンテンツ「広告登録」（不図示）を選択して広告登録を行うことができる。
【０１４６】
また、情報収集機器３又は情報表示機器２は、サーバ１にアクセスするための通信ネットワークアドレスを記録媒体から取得するアドレス取得手段を有することが望ましい。図５に示す情報収集機器３の場合、情報収集機器３は、アドレス取得手段としてのアドレス取得部５７を有する。一方、図６に示す情報表示機器２の場合、情報表示機器２は、アドレス取得手段としてのアドレス取得部６７を有する。アドレス取得部５７、６７は、前述した図１に示すＣＤＲＯＭ２３、３３、フラッシュメモリ（不図示）、メモリカード（不図示）、ＲＦＩＤ（不図示）等のコンピュータで読み取り可能な記録媒体に対応するドライブを適用することができる。
【０１４７】
サーバ１の通信ネットワークアドレスを記録媒体から取得する構成とすることにより、例えば、情報収集機器３に関連する広告を多く保有するサーバ１のアドレスを記録した記録媒体を添付して情報収集機器３を販売することができる。そのため、情報収集機器３を購入したユーザは、記録媒体に記録された通信ネットワークアドレスを有するサーバ１で管理対象情報を管理する可能性が高くなる。従って、サーバ１によりユーザの興味ある広告を配信できる可能性が高くなり、広告効果を向上させることができる。また、記録媒体の内容を更新することとすれば、より最新のポータルサイトの提供が可能となる。
【０１４８】
次に図５から図８で説明した広告配信システム１００により広告を配信することを可能とする、コンピュータによって実行させるための広告配信プログラムについて図９から図１５を参照して説明する。
【０１４９】
図９は、広告配信プログラムのメインフローの一例を示した図である。
【０１５０】
本実施形態では、広告配信するために、メインフロー２００は、図１に示すユーザ５が情報表示機器２からサーバ１に対してユーザ５の登録を行うユーザ登録フロー２０１と、広告主６が広告主の情報表示機器４からサーバ１に対して広告主６の登録を行う広告主登録フロー２０２と、広告主６が広告主の情報表示機器４からサーバ１に対して広告の登録を行う広告登録フロー２０３と、ユーザ５が情報表示機器２から情報収集機器３の機器情報を登録する機器情報登録フロー２０４と、サーバ１がユーザ５の情報表示機器２に管理対象情報を配信する情報配信フロー２０５と、サーバ１が情報収集機器３から送信される管理対象情報を保存する管理対象情報保存フロー２０６と、を有する。
【０１５１】
図９に示すメインフロー２００のスタート後、図７に示すサーバ１は、情報収集機器３、情報表示機器２又は広告主の情報表示機器４から要求を受付けるために待機する（図９に示すステップＳ９１）。そして、情報収集機器３、情報表示機器２又は広告主の情報表示機器４の何れかから要求を受け付けた場合、要求の判別を行う（図９に示すステップＳ９２）。本実施形態では、情報表示機器２又は広告主の情報表示機器４からの要求の受付を図２で説明したポータルサイト上で行うこととするため、図９に示すメインフロー２００は、図７に示すサーバ１の入力部７６から情報表示機器２又は広告主の情報表示機器４に向けてのポータルサイト（図２）の配信によりスタートする。また、要求の判別（図９に示すステップＳ９２）は、図２で説明したポータルサイト上でのコンテンツの選択の別に応じて、図７に示すサーバ１の受信部７９により行うこととする。
【０１５２】
ここで、要求の判別（図９に示すステップＳ９２）後のユーザ登録フロー２０１について図１０を参照して説明する。図１０は、広告配信プログラムのうちのユーザ登録フローの一例を示した図である。
【０１５３】
図７に示すサーバ１は、ユーザ登録を行っていないユーザの情報表示機器２から図２に示すポータルサイトのメイン画面９１における項目「マイページ」の選択を受信部７９により受信すると、入力部７６により情報表示機器２に向けてパスワードの入力を要求する（図１０に示すステップＳ１０１）。なお、サーバ１は、パスワードの入力の要求の際に、ユーザの住所等の個人情報の入力も要求することとしてもよい。広告配信システム１００の安全な運用を行うためである。また、パスワードの入力の要求と共に、前述した広告配信システム１００をユーザが利用するための有料の有効期限付きサーバ利用権を要求してもよい。本実施形態に係る広告配信システム１００の健全な利用を図るためである。
【０１５４】
図６に示す情報表示機器２では、サーバ１からの入力要求を受信部６３により受信し、パスワードの登録画面を表示部６２で表示する（図１０に示すステップＳ１０５）。そして、情報表示機器２は、ユーザが希望するパスワードの入力を入力部６１により受付け（図１０に示すステップＳ１０６）、受付けたパスワードを送信部６４からサーバ１に向けて送信する。
【０１５５】
図７に示すサーバ１は、ユーザによるパスワードの情報を受信部７９で受信することにより取得（図１０に示すステップＳ１０２）し、登録可能であれば、ユーザのユーザＩＤを発行部７７により発行して、記憶部７４に記憶されたユーザ情報データベース１０に登録する（図１０に示すステップＳ１０３）。その後、ユーザＩＤ及び登録完了通知を送信部７８から情報表示機器２に送信（図１０に示すステップＳ１０４）してフローを終了する。情報表示機器２では、サーバ１から送信されたユーザＩＤ及び登録完了通知を受信部６３で受信（図１０に示すステップＳ１０７）してフローを終了する。これにより、ユーザ登録以降、ユーザはユーザＩＤ及びパスワードを用いて広告配信システム１００を利用することができる。このように、ユーザＩＤ及びパスワードの登録を行うことにより、サーバ１でのユーザ認証が可能となり、情報の流出等を防止でき、広告配信システム１００の安全性を確保することができる。
【０１５６】
次に、図９における要求の判別（ステップＳ９２）後の広告主登録フロー２０２について図１１を参照して説明する。図１１は、広告配信プログラムのうちの広告主登録フローの一例を示した図である。
【０１５７】
図７に示すサーバ１は、広告主登録を行っていない広告主の情報表示機器４から図２に示すポータルサイトのメイン画面９１上に設けたコンテンツ「広告登録」（不図示）の選択を受信部７９により受信すると、入力部７６により広告主の情報表示機器４に向けてパスワードの入力を要求する（図１１に示すステップＳ１１１）。なお、サーバ１は、パスワードの入力の要求の際に、広告主の住所等の個人情報の入力も要求することとしてもよい。広告配信システム１００の安全な運用を行うためである。
【０１５８】
図８に示す広告主の情報表示機器４では、サーバ１からの入力要求を受信部８３により受信し、パスワードの登録画面を表示部８２で表示する（図１１に示すステップＳ１１５）。そして、広告主の情報表示機器４は、広告主が希望するパスワードの入力を入力部８１により受付け（図１１に示すステップＳ１１６）、送信部８４からサーバ１に向けて送信する。
【０１５９】
図７に示すサーバ１は、広告主によるパスワードの情報を受信部７９で受信することにより取得（図１１に示すステップＳ１１２）し、登録可能であれば、広告主の広告主ＩＤを発行部７７により発行して、記憶部７４に記憶された広告主情報データベース１３に登録する（図１１に示すステップＳ１１３）。その後、広告主ＩＤ及び登録完了通知を送信部７８から広告主の情報表示機器４に送信（図１１に示すステップＳ１１４）してフローを終了する。図８に示す広告主の情報表示機器４では、サーバ１から送信された広告主ＩＤ及び登録完了通知を受信部８３で受信してフローを終了する。これにより、広告主登録以降、広告主は広告主ＩＤ及びパスワードを用いて広告配信システム１００を利用することができる。このように、広告主ＩＤ及びパスワードを適用することで、広告提供に信頼性を持たせ、広告配信システム１００の安全性を確保することができる。
【０１６０】
次に、図９における要求の判別（ステップＳ９２）後の広告登録フロー２０３について図１２を参照して説明する。図１２は、広告配信プログラムのうちの広告登録フローの一例を示した図である。
【０１６１】
図７に示すサーバ１は、広告主からの要求により、広告主が広告主ＩＤを有していれば、認証部７２で認証を行い（図９に示すステップＳ９５）、ログインできるか否かを広告主のパスワードにより判断する（図９に示すステップＳ９６）。その後、広告主からの要求を受付けるため待機し（図９に示すステップＳ９７）、要求を受付けると要求を判別する（図９に示すステップＳ９８）。本実施形態では、ログイン後の広告主からのサーバ１への要求はログアウト要求か広告登録要求のいずれかである。
【０１６２】
図１２に示す広告登録フロー２０３は、広告主からサーバ１への要求が広告登録である場合にスタートする。まず、図７に示すサーバ１は、広告主の情報表示機器４に入力部７６から広告、広告情報及び広告、広告情報に対応するカテゴリの入力を要求する（図１２に示すステップＳ１２１）。図８に示す広告主の情報表示機器４は、サーバ１から送信された広告、広告情報及びカテゴリの入力要求を受信部８３により受信し、広告、広告情報及びカテゴリの登録画面を表示部８２により表示する（図１２に示すステップＳ１２５）。そして、広告主の情報表示機器４は、広告主が登録を希望する広告、広告情報及びカテゴリを入力部８１により受付け（図１２に示すステップＳ１２６）、送信部８４からサーバ１に向けて送信する。
【０１６３】
図７に示すサーバ１は、広告主から広告、広告情報及びカテゴリの情報を受信部７９で受信して取得（図１２に示すステップＳ１２２）し、記憶部７４に記憶された広告主情報データベース１３に広告主ＩＤに対応させて登録する（図１２に示すステップＳ１２３）。その後、登録完了通知を送信部７８から広告主の情報表示機器４に送信（図１２に示すステップＳ１２４）してフローを終了する。広告主の情報表示機器４では、サーバ１から送信された登録完了通知を受信部８３で受信（図１２に示すステップＳ１２７）してフローを終了する。これにより、広告主は、広告、広告情報及びカテゴリをサーバ１へ提供することができる。図１２に示す広告登録フロー２０３の終了後は、図９に示すステップＳ９７に戻り、広告主からの要求を受付けるために待機する。
【０１６４】
次に、図９における要求の判別（ステップＳ９２）後の機器情報登録フロー２０４について図１３を参照して説明する。図１３は、広告配信プログラムのうちの機器情報登録フローの一例を示した図である。
【０１６５】
図７に示すサーバ１は、ユーザからの情報表示機器２を介した要求により、ユーザがユーザＩＤを有していれば、認証部７２で認証を行い（図９に示すステップＳ９１１）、ログインできるか否かをユーザのパスワードにより判断する（図９に示すステップＳ９１２）。その後、ユーザから情報表示機器２を介した要求を受付けるため待機し（図９に示すステップＳ９１３）、要求を受付けると要求を判別する（図９に示すステップＳ９１４）。本実施形態では、ログイン後のユーザから情報表示機器２を介したサーバ１への要求はログアウト要求、機器情報登録要求、情報配信要求又は退会要求のいずれかである。ここで、機器情報登録要求は、情報収集機器３の機器番号及び管理対象情報のカテゴリをサーバ１へ入力するための要求で、情報配信要求はサーバ１で管理している管理対象情報の配信要求で、退会要求は広告配信システム１００の利用を取りやめるための要求である。
【０１６６】
図１３に示す機器情報登録フロー２０４は、ユーザから情報表示機器２を介したサーバ１への要求が機器情報登録である場合にスタートする。まず、図７に示すサーバ１は、ユーザの情報表示機器２に、入力部７６から機器番号及び機器番号に対応したカテゴリの入力を要求する（図１３に示すステップＳ１３１）。図６に示す情報表示機器２は、サーバ１から送信された機器番号及び機器番号に対応したカテゴリの入力要求を受信部６３により受信し、機器番号及び機器番号に対応したカテゴリの登録画面を表示部６２により表示する（図１３に示すステップＳ１３６）。そして、情報表示機器２は、ユーザが登録を希望する機器番号及び機器番号に対応したカテゴリを入力部６１により受付け（図１３に示すステップＳ１３７）、送信部６４からサーバ１に向けて送信する。
【０１６７】
図７に示すサーバ１は、情報表示機器２からの機器番号及び機器番号に対応したカテゴリの情報を受信部７９で受信して取得する（図１３に示すステップＳ１３２）。サーバ１は、機器番号を取得すると、機器番号に対応する情報保存領域１１（図３）及びカテゴリ領域１２（図３）を記憶部７４に記憶されたユーザ情報データベース１０に確保する（図１３に示すステップＳ１３３）。そして、サーバ１は、取得したカテゴリを記憶部７４に記憶されたユーザ情報データベース１０のカテゴリ領域１２（図３）にユーザＩＤに対応させて保存する（図１３に示すステップＳ１３４）。その後、登録完了通知を送信部７８からユーザの情報表示機器２に送信（図１３に示すステップＳ１３５）してフローを終了する。図６に示すユーザの情報表示機器２では、サーバ１から送信された登録完了通知を受信部６３で受信（図１３に示すステップＳ１３８）してフローを終了する。これにより、ユーザは、機器番号及び機器番号に対応したカテゴリをサーバ１へ提供することができる。図１３に示す機器情報登録フロー２０４の終了後は、図９に示すステップＳ９１３に戻り、ユーザから情報表示機器２を介した要求を受付けるために待機する。
【０１６８】
ここで、（図１３に示すステップＳ１３５）において、登録完了通知と共に、カテゴリに一致する広告を情報表示機器２に通信ネットワーク７を介して折返し配信することが望ましい。前述したように、ユーザが情報収集機器３の機器番号を登録する場合、ユーザの情報収集機器３に関する情報に対しての興味が高まっていることが推定される。そのため、情報収集機器３のカテゴリに関する広告を配信することにより、広告効果を向上させることができるためである。そして、情報表示機器２では、（図１３に示すステップＳ１３８）の後、サーバ１から配信された広告の中の項目で選択した選択項目を通信ネットワーク７を介してサーバ１に送信するステップを有し、サーバ１は、取得した選択項目に予め関連付けられた広告情報を情報表示機器２に通信ネットワーク７を介して折返し配信するステップを有することが望ましい。前述したように、サーバ１からユーザにより選択された選択項目に応じて広告情報を配信することにより、ユーザは興味ある広告情報を確実に見ることが推定される。また、ユーザに対して、広告とその関連情報を分けて配信することにより、より多くの広告を配信することができるため、広告の配信効率がよい。従って、広告効果を向上させることができるからである。
【０１６９】
次に、図９に示す要求の判別（ステップＳ９１）後の情報配信フロー２０５について図１４を参照して説明する。図１４は、広告配信プログラムのうちの情報配信フローの一例を示した図である。
【０１７０】
図１４に示す情報配信フロー２０５は、図９に示すステップＳ９１４においてユーザから情報表示機器２を介したサーバ１への要求が情報配信要求である場合にスタートする。まず、図７に示すサーバ１は、ユーザの情報表示機器２に、入力部７６から機器番号と共に配信を希望する管理対象情報の情報番号の入力を要求する（図１４に示すステップＳ１４１）。ここで、情報番号とは、図３のユーザ情報データベース１０の情報保存領域１１に保存されている情報の番号である。図６に示す情報表示機器２は、サーバ１から送信された機器番号及び情報番号の入力要求を受信部６３により受信し、管理対象情報の配信要求画面を表示部６２により表示する（図１４に示すステップＳ１４８）。そして、情報表示機器２は、機器番号と共にユーザが配信を希望する管理対象情報の情報番号を入力部６１により受付け（図１４に示すステップＳ１４９）、送信部６４からサーバ１に向けて送信する。なお、図１４のステップＳ１４１で、機器番号と共に管理対象情報の情報番号を要求するのは、前述したように、情報収集機器３が収集する管理対象情報が複数ある場合を考慮したものである。そのため、情報収集機器３が収集する管理対象情報が１種類である場合は、機器番号のみにより管理対象情報を特定することができ、この場合は、サーバ１から機器番号のみを要求することとしてもよい。
【０１７１】
図７に示すサーバ１は、情報表示機器２からの機器番号及び管理対象情報の情報番号を受信部７９で受信して取得（図１４に示すステップＳ１４２）し、記憶部７４に記憶されたユーザ情報データベース１０のユーザＩＤに対応した管理対象情報を検索部７３で検索する（図１４に示すステップＳ１４３）。そして、検索した管理対象情報を変換部７１で情報表示機器２の表示形式に変換する（図１４に示すステップＳ１４４）。さらに検索部７３は図１４に示すステップＳ１４３において検索した管理対象情報のカテゴリに一致する広告を機器番号を基に記憶部７４のユーザ情報データベース１０から検索する（図１４に示すステップＳ１４５）。そして、図７に示すサーバ１は、変換部７１で変換された管理対象情報に、検索部７３の検索した広告を添付部７５において添付し（図１４に示すステップＳ１４６）、送信部７８から情報表示機器２に配信（図１４に示すステップＳ１４７）してフローを終了させる。情報表示機器２は、サーバ１から管理対象情報及び広告を受信部６３で受信（図１４に示すステップＳ１４１０）し、表示部６２で表示してフローを終了する。これにより、ユーザは、サーバ１で管理する管理対象情報をいつでも閲覧することができる。一方、サーバ１は、管理対象情報に関連した広告をユーザに配信できるので、高い広告効果を得ることができる。図１４に示す情報配信フロー２０５の終了後は、図９に示すステップＳ９１３に戻り、ユーザから情報表示機器２を介した要求を受付けるために待機する。
【０１７２】
ここで、図６に示す情報表示機器２では、（図１４に示すステップＳ１４１０）の後、サーバ１から配信された広告の中の項目で選択した選択項目を通信ネットワーク７を介してサーバ１に送信するステップを有し、サーバ１は、取得した選択項目に予め関連付けられた広告情報を情報表示機器２に通信ネットワーク７を介して折返し配信するステップを有することが望ましい。前述したように、サーバ１からユーザにより選択された選択項目に応じて広告情報を配信することにより、ユーザは興味ある広告情報を確実に見ることが推定される。また、ユーザに対して、広告とその関連情報を分けて配信することにより、より多くの広告を配信することができるため、広告の配信効率がよい。従って、広告効果を向上させることができるからである。
【０１７３】
次に、図９における要求の判別（ステップＳ９２）後の管理対象情報保存フロー２０６について図１５を参照して説明する。図１５は、広告配信プログラムのうちの管理対象情報保存フローの一例を示した図である。
【０１７４】
図１５に示す管理対象情報保存フロー２０６は、図９に示すステップＳ９１４において情報収集機器３から管理対象情報の入力要求がある場合にスタートする。まず、図５に示す情報収集機器３は、記憶部５６に記憶された機器番号及びユーザＩＤを検索部５５により検索して送信部５２からサーバ１に送信する（図１５に示すステップＳ１５１０）。図７に示すサーバ１は、情報収集機器３から機器番号及びユーザＩＤを受信部７９により受信して取得し（図１５に示すステップＳ１５１）、情報収集機器３が正しいものであるかをユーザＩＤにより判断する（図１５に示すステップＳ１５２）。この際、情報収集機器３から送信されるユーザＩＤを基に検索部７３により記憶部７４のユーザ情報データベース１０を検索して、ユーザ情報データベース１０に保存されたものであるか否かを判断する。ユーザＩＤが正しいとき、サーバ１は、情報収集機器３から送信される情報が初回のものであるか否かを判断する（図１５に示すステップＳ１５３）。当該判断は、ユーザ情報データベース１０における機器番号に対応した管理対象情報の有無で判断することができる。一方、ユーザＩＤが正しくないときは、情報収集機器３は登録されていないものと判断し、フローを終了させる。次に、情報収集機器３から送信される情報が初回のものである場合、図７に示すサーバ１は、入力部７６から情報収集機器３に対してカテゴリの送信要求を送信部７８を介して行う（図１５に示すステップＳ１５４）。
【０１７５】
図５に示す情報収集機器３は、サーバ１からのカテゴリの送信要求を受信部５３により受信すると、検索部５５により管理対象情報のカテゴリを記憶部５６から検索して、送信部５２からサーバ１に向けて送信する（図１５に示すステップＳ１５１１）。図７に示すサーバ１は、情報収集機器３から管理対象情報のカテゴリを受信部７９で受信して取得し（図１５に示すステップＳ１５５）、取得したカテゴリを記憶部７４に記憶されているユーザ情報データベース１０に機器番号に対応させて保存する（図１５に示すステップＳ１５６）。なお、ユーザ側から管理対象情報のカテゴリを送信する場合、情報収集機器３又は情報表示機器２の少なくとも一方からカテゴリを送信すれば足りるため、図１３又は図１５に示すフローの少なくとも一方によりカテゴリを送信すればよい。
【０１７６】
次に、図７に示すサーバ１は、入力部７６により送信部７８を介して情報収集機器３に対して管理対象情報の送信を要求する（図１５に示すステップＳ１５７）。図５に示す情報収集機器３は、受信部５３によりサーバ１からの管理対象情報の送信要求を受信すると、収集部５４で収集した管理対象情報を添付部５１で添付される機器番号と共に、送信部５２からサーバ１に向けて送信し（図１５に示すステップＳ１５１２）、フローを終了する。図７に示すサーバ１は、情報収集機器３から送信される管理対象情報及び機器番号を受信部７９で受信して取得し（図１５に示すステップＳ１５８）、記憶部７４に記憶されたユーザ情報データベース１０に機器番号に対応させて保存し（図１５に示すステップＳ１５９）、フローを終了する。
【産業上の利用可能性】
【０１７７】
本発明の広告配信システム、広告配信方法及び広告配信プログラムは、個人が家庭等で利用することはもちろんのこと、企業等の組織が利用する場合にも、有効な広告の配信を行うことができる。例えば、情報収集機器の管理対象情報としてエアコンの電気消費量をサーバで管理し、サーバは電気消費量に対応する省エネのエアコンの導入を検討させる広告を企業に向けて配信することができる。
【図面の簡単な説明】
【０１７８】
【図１】広告配信システムの１実施形態を示した概略構成図である。
【図２】情報表示機器のディスプレイに表示される情報の一例を示した図である。
【図３】情報保存領域及びカテゴリ領域を含むユーザ情報データベースの一例を示した図である。
【図４】広告及び広告情報を含む広告主情報データベースの一例を示した図である。
【図５】広告配信システムにおける情報収集機器の一例を示した概略構成図である。
【図６】広告配信システムにおける情報表示機器の一例を示した概略構成図である。
【図７】広告配信システムにおけるサーバの一例を示した概略構成図である。
【図８】広告配信システムにおける広告主の情報表示機器の一例を示した概略構成図である。
【図９】広告配信プログラムのメインフローの一例を示した図である。
【図１０】広告配信プログラムのうちのユーザ登録フローの一例を示した図である。
【図１１】広告配信プログラムのうちの広告主登録フローの一例を示した図である。
【図１２】広告配信プログラムのうちの広告登録フローの一例を示した図である。
【図１３】広告配信プログラムのうちの機器情報登録フローの一例を示した図である。
【図１４】広告配信プログラムのうちの情報配信フローの一例を示した図である。
【図１５】広告配信プログラムのうちの管理対象情報保存フローの一例を示した図である。
【符号の説明】
【０１７９】
１：サーバ
２：情報表示機器
３：情報収集機器
４：広告主の情報表示機器
５：ユーザ
６：広告主
７：通信ネットワーク
１０：ユーザ情報データベース
１１：情報保存領域
１２：カテゴリ領域
１３：広告主情報データベース
２１：ＰＣ
２２：携帯端末
２３：ＣＤＲＯＭ
２４：ＰＣ
２５：ルータ
３１：体重計
３２：ＶＴＲ
３３：ＣＤＲＯＭ
４１−４９：矢印
５１：添付部
５２：送信部
５３：受信部
５４：収集部
５５：検索部
５６：記憶部
５７：アドレス取得部
６１：入力部
６２：表示部
６３：受信部
６４：送信部
６５：検索部
６６：記憶部
６７：アドレス取得部
７１：変換部
７２：認証部
７３：検索部
７４：記憶部
７５：添付部
７６：入力部
７７：発行部
７８：送信部
７９：受信部
８１：入力部
８２：表示部
８３：受信部
８４：送信部
８５：検索部
８６：記憶部
９１：ポータルサイトのメイン画面
９２：コンテンツ「マイページ」
９３：コンテンツ「健康」
９４：コンテンツ「体重計」
９５：グラフ
９６：アイコン型の広告
１００：広告配信システム
２００：メインフロー
２０１：ユーザ登録フロー
２０２：広告主登録フロー
２０３：広告登録フロー
２０４：機器情報登録フロー
２０５：情報配信フロー
２０６：管理対象情報保存フロー 
【図１】
2006293670.tif 000003
【図２】
2006293670.tif 000004
【図３】
2006293670.tif 000005
【図４】
2006293670.tif 000006
【図５】
2006293670.tif 000007
【図６】
2006293670.tif 000008
【図７】
2006293670.tif 000009
【図８】
2006293670.tif 000010
【図９】
2006293670.tif 000011
【図１０】
2006293670.tif 000012
【図１１】
2006293670.tif 000013
【図１２】
2006293670.tif 000014
【図１３】
2006293670.tif 000015
【図１４】
2006293670.tif 000016
【図１５】
2006293670.tif 000017